(57)【特許請求の範囲】
【請求項１】
ワイヤレス通信のための方法であって、
第２のファイル配信セッションでブロードキャストされるユーザサービスのサービスディスカバリを可能にするためのシステム情報を受信するためにブロードキャストネットワークにおいて第１のファイル配信セッションをアクティブ化することと、
前記アクティブ化に基づいて前記第１のファイル配信セッションで複数のメタデータフラグメントを受信することと
を備え、前記複数のメタデータフラグメントは、少なくとも１つの初期化セグメント記述フラグメントを備え、前記少なくとも１つの初期化セグメント記述フラグメントは、前記第２のファイル配信セッションで送信された少なくとも１つのメディアセグメントに関連付けられ、前記少なくとも１つの初期化セグメント記述フラグメントは、前記少なくとも１つのメディアセグメントを再生するための情報を備える、方法。
【請求項２】
前記初期化セグメント記述フラグメントは、メディアプレゼンテーション記述フラグメントで参照される、請求項１に記載の方法。
【請求項３】
前記メディアプレゼンテーション記述フラグメントは、複数のＵＲＩ（Uniform Resource Identifier）を備え、前記複数のＵＲＩの各々は、初期化セグメント記述フラグメントおよびメディアセグメントのうちの少なくとも１つについてのアイデンティティおよびネットワークロケーションを表す、請求項２に記載の方法。
【請求項４】
前記メディアプレゼンテーション記述フラグメントの前記ＵＲＩは、前記初期化セグメント記述フラグメントが、システム情報データを送信するファイル配信セッションのうち少なくとも１つでシステム情報として、または、前記ユーザサービスのためのファイル配信セッションで初期化データセグメントとして送信されることとなることを示す情報を備える、請求項３に記載の方法。
【請求項５】
前記第１のファイル配信セッションは、ＦＬＵＴＥ（file delivery over unidirectional transport）セッションを備える、請求項１に記載の方法。
【請求項６】
前記ＦＬＵＴＥセッションは、前記初期化セグメント記述フラグメントに加え、少なくとも１つのユーザサービスについてのセッション記述情報およびメディアプレゼンテーション記述フラグメントのセットを参照するサービスバンドルメタデータフラグメントのシーケンスを備える、請求項５に記載の方法。
【請求項７】
前記複数のメタデータフラグメントはさらに、少なくとも１つのユーザサービスディスカバリメタデータフラグメントを備える、請求項１に記載の方法。
【請求項８】
前記少なくとも１つのユーザサービスディスカバリメタデータフラグメントは、前記少なくとも１つの初期化セグメント記述フラグメントが、ユーザサービスのために定義されたファイル配信セッションとは異なるシステム情報のためのファイル配信セッションで搬送されることを示す配信方法データパラメータを備える、請求項７に記載の方法。
【請求項９】
前記少なくとも１つの初期化セグメント記述フラグメントは、システム情報のための前記ファイル配信セッションで搬送される、請求項８に記載の方法。
【請求項１０】
前記配信方法データパラメータは、前記少なくとも１つの初期化セグメント記述フラグメントのための少なくとも１つのＵＲＩ（Uniform Resource Identifier）を備える、請求項８に記載の方法。
【請求項１１】
前記配信方法データパラメータは、前記少なくとも１つの初期化セグメント記述フラグメントが、少なくとも１つの属性があらかじめ決められた値に設定された場合、システム情報のための前記ファイル配信セッションで搬送されることを示す前記少なくとも１つの属性を備える、請求項８に記載の方法。
【請求項１２】
前記少なくとも１つの初期化セグメント記述フラグメントをキャッシュに記憶することをさらに備える、請求項１に記載の方法。
【請求項１３】
動的適応型ＨＴＴＰストリーミング（ＤＡＳＨ）形式のメディアコンテンツを備えるユーザサービスのブロードキャスト配信のために前記ブロードキャストネットワークにおいて第２のファイル配信セッションをアクティブ化することと、
前記第２のファイル配信セッションで送信された少なくとも１つの第２のメディアセグメントを受信することと、
前記キャッシュに記憶された初期化セグメント記述フラグメントを使用して前記少なくとも１つの第２のメディアセグメントを復号することと
をさらに備える、請求項１２に記載の方法。
【請求項１４】
少なくとも１つの第２のメディアセグメントに関連付けられた第２の初期化セグメント記述フラグメントを受信することをさらに備える、請求項１に記載の方法。
【請求項１５】
ブロードキャストの動的適応型ＨＴＴＰストリーミング（ＤＡＳＨ）サービスのために前記ブロードキャストネットワークにおいて第２のファイル配信セッションをアクティブ化することと、
前記第２のファイル配信セッションで送信された少なくとも１つの第２のメディアセグメントを受信することと、
キャッシュに記憶された第２の初期化セグメント記述フラグメントを使用して前記少なくとも１つの第２のメディアセグメントを復号することと
をさらに備える、請求項１４に記載の方法。
【請求項１６】
前記少なくとも１つのメディアセグメントと同じファイル配信セッションに組み入れられた前記初期化セグメント記述フラグメントを受信することをさらに備える、請求項１に記載の方法。
【請求項１７】
前記ブロードキャストネットワークは、発展型マルチメディアブロードキャストマルチキャストサービス（ｅＭＢＭＳ）ネットワークを備える、請求項１に記載の方法。
【請求項１８】
ワイヤレス通信のための装置であって、
第２のファイル配信セッションでブロードキャストされるユーザサービスのサービスディスカバリを可能にするためのシステム情報を受信するためにブロードキャストネットワークにおいて第１のファイル配信セッションをアクティブ化する手段と、
前記アクティブ化に基づいて前記第１のファイル配信セッションで複数のメタデータフラグメントを受信する手段と
を備え、前記複数のメタデータフラグメントは、少なくとも１つの初期化セグメント記述フラグメントを備え、前記少なくとも１つの初期化セグメント記述フラグメントは、前記第２のファイル配信セッションで送信された少なくとも１つのメディアセグメントに関連付けられ、前記少なくとも１つの初期化セグメント記述フラグメントは、前記少なくとも１つのメディアセグメントを再生するための情報を備える、装置。
【請求項１９】
前記初期化セグメント記述フラグメントは、メディアプレゼンテーション記述フラグメントで参照され、前記メディアプレゼンテーション記述フラグメントは、複数のＵＲＩ（Uniform Resource Identifier）を備え、前記複数のＵＲＩの各々は、初期化データセグメントまたはメディアセグメントのうちの少なくとも１つについてのアイデンティティおよびネットワークロケーションを表し、前記メディアプレゼンテーション記述フラグメントの前記ＵＲＩは、前記初期化セグメント記述フラグメントが、システム情報データを送信するファイル配信セッションのうちの少なくとも１つでシステム情報として、または、前記ユーザサービスのためのファイル配信セッションで初期化データセグメントとして送信されることとなることを示す情報を備える、請求項１８に記載の装置。
【請求項２０】
前記第１のファイル配信セッションは、ＦＬＵＴＥ（file delivery over unidirectional transport）セッションを備え、前記装置はさらに、前記少なくとも１つの初期化セグメント記述フラグメントをキャッシュに記憶する手段を備える、請求項１８に記載の装置。
【請求項２１】
前記複数のメタデータフラグメントはさらに、少なくとも１つのユーザサービスディスカバリメタデータフラグメントを備える、請求項１８に記載の装置。
【請求項２２】
前記少なくとも１つのユーザサービスディスカバリメタデータフラグメントは、前記少なくとも１つの初期化セグメント記述フラグメントが、ユーザサービスのために定義されたファイル配信セッションとは異なるシステム情報のためのファイル配信セッションで搬送されることを示す配信方法データパラメータを備える、請求項２１に記載の装置。
【請求項２３】
前記少なくとも１つの初期化セグメント記述フラグメントは、システム情報のための前記ファイル配信セッションで搬送される、請求項２２に記載の装置。
【請求項２４】
前記配信方法データパラメータは、前記少なくとも１つの初期化セグメント記述フラグメントのための少なくとも１つのＵＲＩ（Uniform Resource Identifier）を備える、請求項２２に記載の装置。
【請求項２５】
前記配信方法データパラメータは、少なくとも１つの属性があらかじめ決められた値に設定された場合、前記少なくとも１つの初期化セグメント記述フラグメントが、システム情報のための前記ファイル配信セッションで搬送されることを示す前記少なくとも１つの属性を備える、請求項２２に記載の装置。
【請求項２６】
前記受信する手段は、前記少なくとも１つの第２のメディアセグメントに関連付けられた第２の初期化セグメント記述フラグメントをさらに受信する、請求項１８に記載の装置。
【請求項２７】
ワイヤレス通信のための装置であって、
第２のファイル配信セッションでブロードキャストされるユーザサービスのサービスディスカバリを可能にするためのシステム情報を受信するためにブロードキャストネットワークにおいてサーバとの第１のファイル配信セッションをアクティブ化し、
前記アクティブ化に基づいて前記第１のファイル配信セッションで複数のメタデータフラグメントを受信する
ように構成された処理システムを備え、前記複数のメタデータフラグメントは、少なくとも１つの初期化セグメント記述フラグメントを備え、前記少なくとも１つの初期化セグメント記述フラグメントは、前記第２のファイル配信セッションで送信された少なくとも１つのメディアセグメントに関連付けられ、前記少なくとも１つの初期化セグメント記述フラグメントは、前記少なくとも１つのメディアセグメントを再生するための情報を備える、装置。
【請求項２８】
前記初期化セグメント記述フラグメントは、メディアプレゼンテーション記述で参照される、請求項２７に記載の装置。
【請求項２９】
前記メディアプレゼンテーション記述は、複数のＵＲＩ（Uniform Resource Identifier）を備え、前記複数のＵＲＩの各々は、初期化セグメント記述フラグメントまたはメディアセグメントのうちの少なくとも１つについてのアイデンティティおよびネットワークロケーションを表す、請求項２８に記載の装置。
【請求項３０】
前記メディアプレゼンテーション記述の前記ＵＲＩは、前記初期化セグメント記述フラグメントが、システム情報データを送信するファイル配信セッションのうち少なくとも１つでシステム情報として、または、前記ユーザサービスのためのファイル配信セッションで初期化データセグメントとして送信されることとなることを示す情報を備える、請求項２９に記載の装置。
【請求項３１】
前記第１のファイル配信セッションは、ＦＬＵＴＥ（file delivery over unidirectional transport）セッションを備える、請求項２７に記載の装置。
【請求項３２】
前記複数のメタデータフラグメントはさらに、少なくとも１つのユーザサービスディスカバリメタデータフラグメントを備える、請求項２７に記載の装置。
【請求項３３】
前記少なくとも１つのユーザサービスディスカバリメタデータフラグメントは、前記少なくとも１つの初期化セグメント記述フラグメントが、ユーザサービスのために定義されたファイル配信セッションとは異なるシステム情報のためのファイル配信セッションで搬送されることを示す配信方法データパラメータを備える、請求項３２に記載の装置。
【請求項３４】
前記少なくとも１つの初期化セグメント記述フラグメントは、システム情報のための前記ファイル配信セッションで搬送される、請求項３３に記載の装置。
【請求項３５】
前記配信方法データパラメータは、前記少なくとも１つの初期化セグメント記述フラグメントのための少なくとも１つのＵＲＩ（Uniform Resource Identifier）を備える、請求項３３に記載の装置。
【請求項３６】
前記配信方法データパラメータは、少なくとも１つの属性があらかじめ決められた値に設定された場合に、前記少なくとも１つの初期化セグメント記述フラグメントが、システム情報のための前記ファイル配信セッションで搬送されることを示す前記少なくとも１つの属性を備える、請求項３３に記載の装置。
【請求項３７】
前記処理システムはさらに、前記少なくとも１つの初期化セグメント記述フラグメントをキャッシュに記憶するように構成される、請求項２７に記載の装置。
【請求項３８】
前記処理システムは、少なくとも１つの第２のメディアセグメントに関連付けられた第２の初期化セグメント記述フラグメントを受信するようにさらに構成される、請求項２７に記載の装置。
【請求項３９】
コンピュータ読取可能な媒体を備えるワイヤレスデバイスにおけるコンピュータプログラム製品であって、前記コンピュータ読取可能な媒体は、
第２のファイル配信セッションでブロードキャストされるユーザサービスのサービスディスカバリを可能にするためのシステム情報を受信するためにブロードキャストネットワークにおいてサーバとの第１のファイル配信セッションをアクティブ化し、
前記アクティブ化に基づいて前記第１のファイル配信セッションで複数のデータフラグメントを受信する
ためのコードを備え、前記複数のデータフラグメントは、少なくとも１つの初期化セグメント記述フラグメントを備え、前記少なくとも１つの初期化セグメント記述フラグメントは、前記第２のファイル配信セッションで送信された少なくとも１つのメディアセグメントに関連付けられ、前記少なくとも１つの初期化セグメント記述フラグメントは、前記少なくとも１つのメディアセグメントを再生するための情報を備える、コンピュータプログラム製品。
【請求項４０】
ワイヤレス通信のための方法であって、
第２のファイル配信セッションでブロードキャストされるユーザサービスのサービスディスカバリを可能にするためのシステム情報を配信するためにブロードキャストネットワークにおいて第１のファイル配信セッションを送信することと、ここで、前記第１のファイル配信セッションは、複数のメタデータフラグメントを備え、前記メタデータフラグメントは、前記ユーザサービスに関連付けられた少なくとも１つの初期化セグメント記述フラグメントを備える、
前記ユーザサービスに関連付けられたメディアコンテンツを配信するために、前記ブロードキャストネットワークにおいて前記第２のファイル配信セッションを送信することと
を備え、前記少なくとも１つの初期化セグメント記述フラグメントは、前記メディアコンテンツを再生するための情報を備える、方法。
【請求項４１】
前記初期化セグメント記述フラグメントは、メディアプレゼンテーション記述で参照される、請求項４０に記載の方法。
【請求項４２】
前記メディアプレゼンテーション記述は、複数のＵＲＩ（Uniform Resource Identifier）を備え、前記複数のＵＲＩの各々は、初期化セグメント記述フラグメントおよびメディアセグメントのうちの少なくとも１つについてのアイデンティティおよびネットワークロケーションを表す、請求項４１に記載の方法。
【請求項４３】
前記メディアプレゼンテーション記述の前記ＵＲＩは、前記初期化セグメント記述フラグメントが、システム情報データを送信するファイル配信セッションのうち少なくとも１つでシステム情報として、または、前記ユーザサービスのためのファイル配信セッションで初期化データセグメントとして送信されることとなることを示す情報を備える、請求項４２に記載の方法。
【請求項４４】
前記第１および第２のファイル配信セッションは、ＦＬＵＴＥ（file delivery over unidirectional transport）セッションを備える、請求項４０に記載の方法。
【請求項４５】
前記複数のメタデータフラグメントはさらに、少なくとも１つのユーザサービスディスカバリメタデータフラグメントを備える、請求項４０に記載の方法。
【請求項４６】
前記少なくとも１つのユーザサービスディスカバリメタデータフラグメントは、前記少なくとも１つの初期化セグメント記述フラグメントが、ユーザサービスのために定義されたファイル配信セッションとは異なるシステム情報のためのファイル配信セッションで搬送されることを示す配信方法データパラメータを備える、請求項４５に記載の方法。
【請求項４７】
前記少なくとも１つの初期化セグメント記述フラグメントは、システム情報のための前記ファイル配信セッションで搬送される、請求項４６に記載の方法。
【請求項４８】
前記配信方法データパラメータは、前記少なくとも１つの初期化セグメント記述フラグメントのための少なくとも１つのＵＲＩ（Uniform Resource Identifier）を備える、請求項４６に記載の方法。
【請求項４９】
前記配信方法データパラメータは、前記少なくとも１つの初期化セグメント記述フラグメントが、少なくとも１つの属性があらかじめ決められた値に設定された場合、システム情報のための前記ファイル配信セッションで搬送されることを示す前記少なくとも１つの属性を備える、請求項４６に記載の方法。
【請求項５０】
ワイヤレス通信のための装置であって、
第２のファイル配信セッションでブロードキャストされるユーザサービスのサービスディスカバリを可能にするためのシステム情報を配信するためにブロードキャストネットワークにおいて第１のファイル配信セッションを送信する手段と、ここで、前記第１のファイル配信セッションは、複数のメタデータフラグメントを備え、前記メタデータフラグメントは、前記ユーザサービスに関連付けられた少なくとも１つの初期化セグメント記述フラグメントを備える、
前記ユーザサービスに関連付けられたメディアコンテンツを配信するために、前記ブロードキャストネットワークで前記第２のファイル配信セッションを送信する手段と、
を備え、前記少なくとも１つの初期化セグメント記述フラグメントは、前記メディアコンテンツを再生するための情報を備える、装置。
【請求項５１】
ワイヤレス通信のための装置であって、
第２のファイル配信セッションでブロードキャストされるユーザサービスのサービスディスカバリを可能にするためのシステム情報を配信するためにブロードキャストネットワークで第１のファイル配信セッションを送信し、ここで、前記第１のファイル配信セッションは、複数のメタデータフラグメントを備え、前記メタデータフラグメントは、前記ユーザサービスに関連付けられた少なくとも１つの初期化セグメント記述フラグメントを備える、
前記ユーザサービスに関連付けられたメディアコンテンツを配信するために、前記ブロードキャストネットワークにおいて前記第２のファイル配信セッションを送信する
ように構成された処理システムを備え、
前記少なくとも１つの初期化セグメント記述フラグメントは、前記メディアコンテンツを再生するための情報を備える、装置。
【請求項５２】
前記初期化セグメント記述フラグメントは、メディアプレゼンテーション記述で参照される、請求項５１に記載の装置。
【請求項５３】
前記メディアプレゼンテーション記述は、複数のＵＲＩ（Uniform Resource Identifier）を備え、前記複数のＵＲＩの各々は、初期化セグメント記述フラグメントおよびメディアセグメントのうちの少なくとも１つについてのアイデンティティおよびネットワークロケーションを表す、請求項５２に記載の装置。
【請求項５４】
前記メディアプレゼンテーション記述の前記ＵＲＩは、前記初期化セグメント記述フラグメントが、システム情報データを送信するファイル配信セッションのうち少なくとも１つでシステム情報として、または、前記ユーザサービスのためのファイル配信セッションで初期化データセグメントとして送信されることとなることを示す情報を備える、請求項５３に記載の装置。
【請求項５５】
前記第１および第２のファイル配信セッションは、ＦＬＵＴＥ（file delivery over unidirectional transport）セッションを備える、請求項５１に記載の装置。
【請求項５６】
前記複数のメタデータフラグメントはさらに、少なくとも１つのユーザサービスディスカバリメタデータフラグメントを備える、請求項５１に記載の装置。
【請求項５７】
前記少なくとも１つのユーザサービスディスカバリメタデータフラグメントは、前記少なくとも１つの初期化セグメント記述フラグメントが、ユーザサービスのために定義されたファイル配信セッションと異なり、かつ、前記第２のファイル配信セッションと異なるシステム情報のためのファイル配信セッションで搬送されることを示す配信方法データパラメータを備える、請求項５６に記載の装置。
【請求項５８】
前記少なくとも１つの初期化セグメント記述フラグメントは、システム情報のための前記ファイル配信セッションで搬送される、請求項５７に記載の装置。
【請求項５９】
前記配信方法データパラメータは、前記少なくとも１つの初期化セグメント記述フラグメントのための少なくとも１つのＵＲＩ（Uniform Resource Identifier）を備える、請求項５７に記載の装置。
【請求項６０】
前記配信方法データパラメータは、少なくとも１つの属性があらかじめ決められた値に設定された場合に、前記少なくとも１つの初期化セグメント記述フラグメントが、システム情報のための前記ファイル配信セッションで搬送されることを示す前記少なくとも１つの属性を備える、請求項５７に記載の装置。
【請求項６１】
コンピュータ読取可能な媒体を備えるワイヤレスデバイスにおけるコンピュータプログラム製品であって、前記コンピュータ読取可能な媒体は、
第２のファイル配信セッションでブロードキャストされるユーザサービスのサービスディスカバリを可能にするためのシステム情報を配信するためにブロードキャストネットワークにおいて第１のファイル配信セッションを送信することと、ここで、前記第１のファイル配信セッションは、複数のメタデータフラグメントを備え、前記メタデータフラグメントは、前記ユーザサービスに関連付けられた少なくとも１つの初期化セグメント記述フラグメントを備える、
前記ユーザサービスに関連付けられたメディアコンテンツを配信するために、前記ブロードキャストネットワークにおいて前記第２のファイル配信セッションを送信する
ためのコードを備え、
前記少なくとも１つの初期化セグメント記述フラグメントは、前記メディアコンテンツを再生するための情報を備える、コンピュータプログラム製品。
【発明の詳細な説明】
【関連出願】
【０００１】
本出願は、譲受人に譲渡され、これらの内容が全体的に参照によって本明細書に明確に組み込まれる２０１１年８月１日に出願された「METHOD AND APPARATUS FOR TRANSPORT OF DYNAMIC ADAPTIVE STREAMING OVER HTTP (DASH) INITIALIZATION SEGMENTS AS USER SERVICE DESCRIPTION FRAGMENTS」と題する米国仮出願第６１／５１３９９２号および２０１２年７月３１日に出願された「METHOD AND APPARATUS FOR TRANSPORT OF DYNAMIC ADAPTIVE STREAMING OVER HTTP (DASH) INITIALIZATION SEGMENT DESCRIPTION FRAGMENTS AS USER SERVICE DESCRIPTION FRAGMENTS」と題する米国特許出願第１３／５６３６５９号に対する優先権を主張する。
【技術分野】
【０００２】
本開示は一般に、通信システムに関し、より詳細には、ユーザサービス記述フラグメントとしての動的適応型ＨＴＴＰストリーミング（ＤＡＳＨ）初期化セグメントの転送のための方法および装置に関する。
【背景技術】
【０００３】
電話通信、ビデオ、データ、メッセージング、およびブロードキャストといった様々な電気通信サービスを提供するために、ワイヤレス通信システムが広く展開されている。典型的なワイヤレス通信システムは、利用可能なシステムリソース（例えば、帯域幅、送信電力）を共有することによって複数のユーザとの通信をサポートすることができる多元接続技術を用いうる。このような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一キャリア周波数分割多元接続（ＳＣ−ＦＤＭＡ）システム、および時分割同期符号分割多元接続（ＴＤ−ＳＣＤＭＡ）システムが含まれる。
【０００４】
これらの多元接続技術は、異なるワイヤレスデバイスが、都市レベル、全国レベル、地域レベルだけでなく、世界規模での通信することを可能する共通のプロトコルを提供するために、様々な電気通信規格に採用されている。新しく現れつつある電気通信規格の例は、ロングタームエボリューション（ＬＴＥ）である。ＬＴＥは、第３世代パートナーシッププロジェクト（３ＧＰＰ）によって発表されたユニバーサルモバイル電気通信システム（ＵＭＴＳ）のモバイル規格を向上させたもののセットである。それは、スペクトル効率を改善することによってモバイルブロードバンドインターネットアクセスをより快適にサポートし、コストを下げ、サービスを向上させ、新しいスペクトルを利用し、および、ダウンリンク（ＤＬ）上でＯＦＤＭＡを、アップリンク（ＵＬ）上でＳＣ−ＦＤＭＡを使用し、多入力多出力（ＭＩＭＯ）アンテナ技術を使用して、より適切に他のオープン規格に組み込まれるように設計されている。しかしながら、モバイルブロードバンドアクセスの需要が増加し続けるのに伴い、ＬＴＥ技術にはさらなる改良が必要とされている。望ましくは、これらの改良は、これらの技術を用いる他の多元接続技術および電気通信規格に適用可能であるべきである。
【発明の概要】
【０００５】
本開示の態様において、方法、コンピュータプログラム製品、および装置が提供される。装置は、システム情報（ＳＩ）のためにブロードキャストネットワークにおいてサーバとのファイル配信セッションを確立する。ブロードキャストネットワークについて定義されたＳＩの例には、３ＧＰＰマルチメディアブロードキャスト／マルチキャストサービス（ＭＢＭＳ）で定義されたユーザサービスディスカバリ／報告メタデータ、および、ＯＭＡ ＢＣＡＳＴ（Open Mobile Alliance Mobile Broadcast Services Enabler Suite）規格よって特定された（電子）サービスガイドすなわち（Ｅ）ＳＧが含まれる。装置はまた、このファイル配信セッションで複数のデータフラグメントを受信する。複数のデータフラグメントは、少なくとも１つの初期化セグメント記述フラグメントを含み、ここで、少なくとも１つの初期化セグメント記述フラグメントは、別のファイル配信セッションで送信された少なくとも１つのメディアセグメントに関連付けられる。本明細書で使用される場合、「初期化データセグメント」および「初期化セグメント」という用語は、同義語であるとみなされるべきである。
【０００６】
本開示の別の態様において、方法、コンピュータプログラム製品、および装置が提供される。装置は、システム情報を配信するためにブロードキャストネットワークで第１のファイル配信セッションを送信し、ここで、第１のファイル配信セッションは、複数のメタデータフラグメントを備え、メタデータフラグメントは、ユーザサービスに関連付けられた少なくとも１つの初期化セグメント記述フラグメントを備える。装置はまた、ユーザサービスに関連付けられたメディアコンテンツを配信するために、ブロードキャストネットワークにおいて第２のファイル配信セッションを送信する。
【図面の簡単な説明】
【０００７】
【図１】図１は、ネットワークアーキテクチャの例を示す図である。
【図２】図２は、アクセスネットワークの例を示す図である。
【図３】図３は、ＬＴＥにおけるＤＬフレーム構造の例を示す図である。
【図４】図４は、ＬＴＥにおけるＵＬフレーム構造の例を示す図である。
【図５】図５は、ユーザプレーンおよび制御プレーンのための無線プロトコルアーキテクチャの例を示す図である。
【図６】図６は、アクセスネットワークにおける発展型ノードＢおよびユーザ機器の例を示す図である。
【図７】図７は、マルチキャストブロードキャスト単一周波数ネットワーク（ＭＢＳＦＮ）における発展型ＭＢＭＳ（ｅＭＢＭＳ）を示す図である。
【図８】図８は、動的適応型ＨＴＴＰストリーミング（ＤＡＳＨ）セグメントがワイヤレスネットワーク上でＭＢＭＳ内の専用のサービスを通して配信される間にＳＩメタデータがユーザサービス記述（ＵＳＤ）のためのオーバヘッドサービスで配給（distribute）されるＤＡＳＨのためのコンテンツを配信する現在のアプローチを示す図である。
【図９】図９は、本明細書で説明される１つの例示的なアプローチにしたがってユーザサービス記述転送を用いた、初期化セグメントを含むＳＩ情報の送信を示す図である。
【図１０】図１０は、動的適応型ＨＴＴＰストリーミング（ＤＡＳＨ）のためのメディアプレゼンテーション記述（ＭＰＤ：Media Presentation Description）についてのハイレベルな拡張マークアップ言語（ＸＭＬ）スキーム構造を示す図である。
【図１１】図１１は、図１０のＭＰＤの複数のピリオド（period）についてのハイレベルなＸＭＬスキーム構造を示す図である。
【図１２】図１２は、図１１の複数のピリオドのうちの１つのピリオドにおける複数のリプレゼンテーション（representation）についてのハイレベルなＸＭＬスキーム構造を示す図である。
【図１３】図１３は、図１２の複数のリプレゼンテーションのうちの１つのリプレゼンテーションのセグメント情報についてのハイレベルなＸＭＬスキーム構造を示す図である。
【図１４】図１４は、サービスバンドルを記述するためのメタデータフラグメントを示す図であり、これは、ワイヤレスネットワークによるＭＢＭＳのために定義されたＳＩの形態である。
【図１５】図１５は、ワイヤレスネットワークによるＭＢＭＳのためのＳＩで、サービスバンドルについてのユーザサービスを記述するためのメタデータフラグメントを示す図である。
【図１６】図１６は、ワイヤレスネットワークによるＭＢＭＳのためのＳＩで、ユーザサービスについての配信方法を記述するためのメタデータフラグメントを示す図である。
【図１７】図１７は、ファイル配信テーブルパケットを示す図である。
【図１８】図１８は、別の例示的なアプローチについてＵＳＤで初期化セグメント転送をシグナリングすることを示す図である。
【図１９】図１９は、さらに別の例示的なアプローチについてＵＳＤで初期化セグメント転送をシグナリングすることを示す図である。
【図２０】図２０は、例示的なアプローチにしたがった初期化セグメントの受信のためのプロセスのフローチャートである。
【図２１】図２１は、例示的なアプローチにしたがったメディアセグメントの受信のためのプロセスのフローチャートである。
【図２２】図２２は、初期化セグメントおよびメディアセグメントを受信して処理するための例示的な装置の機能を示す概念的なブロック図である。
【図２３】図２３は、処理システムを用いる装置のためのハードウェア実現の例を示す図である。
【図２４】図２４は、例示的なアプローチにしたがった初期化セグメントおよびメディアセグメントの送信のためのプロセスのフローチャートである。
【図２５】図２５は、初期化セグメントおよびメディアセグメントを作成して送信するための例示的な装置の機能を示す概念的なブロック図である。
【図２６】図２６は、処理システムを用いる装置のためのハードウェア実現の例を示す図である。
【発明を実施するための形態】
【０００８】
添付の図面に関連して以下に示される詳細な説明は、様々な構成の説明を意図したものであり、本明細書で説明される概念が実施されうる唯一の構成しか表わさないことを意図したものではない。詳細な説明は、様々な概念の完全な理解を提供するために、特定の詳細を含む。しかしながら、これらの概念がこれらの特定の詳細なしに実施されうることは当業者にとって明らかであろう。いくつかの例では、そのような概念をあいまいにしないために、周知の構造およびコンポーネントがブロック図の形態で示される。
【０００９】
電気通信システムのいくつかの態様が、様々な装置および方法に関連して提示されるだろう。これらの装置および方法は、以下の詳細な説明において説明され、様々なブロック、モジュール、コンポーネント、回路、ステップ、プロセス、アルゴリズム、等（総称して「構成要素」と呼ばれる）によって添付の図面で説明されるだろう。これらの構成要素は、電子ハードウェア、コンピュータソフトウェア、またはそれらの任意の組み合わせを用いて実現されうる。そのような構成要素がハードウェアとして実現されるかソフトウェアとして実現されるかは、特定のアプリケーションおよびシステム全体に課された設計の制約に依存する。
【００１０】
例として、１つの構成要素、１つの構成要素の任意の部分、または複数の構成要素の任意の組み合わせは、１つ以上のプロセッサを含む「処理システム」を用いて実現されうる。プロセッサの例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、ステートマシン、ゲート論理、ディスクリートハードウェア回路、および本開示を通して説明される様々な機能を実行するように構成された他の適切なハードウェアが含まれる。処理システム内の１つ以上のプロセッサは、ソフトウェアを実行しうる。ソフトウェアは、ソフトウェア、ファームウェア、ミドルウェア、マイクロコード、ハードウェア記述言語と呼ばれる場合であっても、それ以外の名称で呼ばれる場合であっても、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味するものと広く解釈されるべきである。
【００１１】
したがって、１つ以上の例示的な実施形態では、説明される機能は、ハードウェア、ソフトウェア、ファームウェア、またはこれらの任意の組み合わせで実現されうる。ソフトウェアで実現される場合、これらの機能は、コンピュータ読取可能な媒体上に、１つ以上の命令またはコードとして記憶されるか、１つ以上の命令またはコードとして符号化されうる。コンピュータ読取可能な媒体は、コンピュータ記憶媒体を含む。記憶媒体は、コンピュータによってアクセス可能な任意の入手可能な媒体でありうる。限定ではなく例として、そのようなコンピュータ読取可能な媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、所望のプログラムコードを命令またはデータ構造の形態で搬送または記憶するために使用されることができ、かつ、コンピュータによってアクセスされることができる任意の別媒体を備えることができる。本明細書で使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスクを含み、ここで、ディスク（disk）は、通常磁気的にデータを再生し、ディスク（disc）は、レーザーを用いて光学的にデータを再生する。上記の組み合わせもまた、コンピュータ読取可能な媒体の範囲内に含まれるべきである。
【００１２】
図１は、ＬＴＥネットワークアーキテクチャ１００を示す図である。ＬＴＥネットワークアーキテクチャ１００は、発展型パケットシステム（ＥＰＳ）１００と呼ばれうる。ＥＰＳ １００は、１つ以上のユーザ機器（ＵＥ）１０２、次世代ＵＭＴＳ地上無線アクセスネットワーク（Ｅ−ＵＴＲＡＮ）１０４、発展型パケットコア（ＥＰＣ）１１０、ホーム加入者サーバ（ＨＳＳ）１２０、およびオペレータのＩＰサービス１２２を含みうる。ＥＰＳは、他のアクセスネットワークと相互接続することができるが、簡潔化のために、それらのエンティティ／インターフェースは示されない。示されているように、ＥＰＳは、パケット交換サービスを提供するが、当業者が容易に理解するように、本開示全体を通して提示される様々な概念は、回線交換サービスを提供するネットワークに拡張されることができる。
【００１３】
Ｅ−ＵＴＲＡＮは、発展型ノードＢ（ｅＮＢ） １０６および他のｅＮＢ １０８を含む。ｅＮＢ １０６は、ＵＥ １０２へのユーザプレーンおよび制御プレーンのプロトコル終了を提供する。ｅＮＢ １０６は、バックホール（例えば、Ｘ２インターフェース）を介して他のｅＮＢ １０８に接続されうる。ｅＮＢ １０６はまた、基地局、トランシーバ基地局、無線基地局、無線トランシーバ、トランシーバ機能、基本サービスセット（ＢＳＳ）、拡張サービスセット（ＥＳＳ）、またはある他の適切な専門用語で呼ばれうる。ｅＮＢ １０６は、ＥＰＣ １１０へのアクセスポイントをＵＥ １０２に提供する。ＵＥ １０２の例には、セルラ電話、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレーヤ（例えば、ＭＰ３プレーヤ）、カメラ、ゲーム機器、または同様の機能を有する任意のその他のデバイスが含まれる。ＵＥ １０２はまた、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または、ある他の適切な用語で呼ばれうる。
【００１４】
ｅＮＢ １０６は、Ｓ１インターフェースによってＥＰＣ １１０に接続される。ＥＰＣ １１０は、モビリティ管理エンティティ（ＭＭＥ）１１２、他のＭＭＥ １１４、サービングゲートウェイ１１６、およびパケットデータネットワーク（ＰＤＮ）ゲートウェイ１１８を含む。ＭＭＥ １１２は、ＵＥ １０２とＥＰＣ １１０との間のシグナリングを処理する制御ノードである。一般的に、ＭＭＥ １１２はベアラおよび接続管理を提供する。すべてのユーザＩＰパケットは、自体がＰＤＮゲートウェイ１１８に接続されたサービングゲートウェイ１１６を通って転送される。ＰＤＮゲートウェイ１１８は、ＵＥ ＩＰアドレス割付と、その他の機能とを提供する。ＰＤＮゲートウェイ１１８は、オペレータのＩＰサービス１２２に接続される。オペレータのＩＰサービス１２２は、インターネット、イントラネット、ＩＰマルチメディアサブシステム（ＩＭＳ）、およびＰＳストリーミングサービス（ＰＳＳ）を含みうる。
【００１５】
図２は、ＬＴＥネットワークアーキテクチャにおけるアクセスネットワーク２００の例を示す図である。この例では、アクセスネットワーク２００が、多数のセルラ領域（セル）２０２に分割される。１つ以上のより低い電力クラスのｅＮＢ ２０８は、セル２０２のうちの１つ以上とオーバラップするセルラ領域２１０を有しうる。より低い電力クラスのｅＮＢ ２０８は、フェムトセル（例えば、ホームｅＮＢ（ＨｅＮＢ））、ピコセル、マイクロセル、または遠隔ラジオヘッド（ＲＲＨ）でありうる。マクロｅＮＢ ２０４は各々、それぞれのセル２０２に割り当てられ、セル２０２内のすべてのＵＥ ２０６に、ＥＰＣ １１０へのアクセスポイントを提供するように構成される。このアクセスネットワーク２００の例では集中コントローラが存在しないが、代替の構成では、集中コントローラが使用されうる。ｅＮＢ ２０４は、無線ベアラ制御、アドミッション制御、モビリティ制御、スケジューリング、セキュリティ、およびサービングゲートウェイ１１６への接続性を含むすべての無線関連機能を担う。
【００１６】
アクセスネットワーク２００が用いる変調および多元接続スキームは、展開されている特定の電気通信規格に依存して異なりうる。ＬＴＥアプリケーションの場合、周波数分割複信（ＦＤＤ）および時分割複信（ＴＤＤ）の両方をサポートするために、ＤＬ上ではＯＦＤＭが使用され、ＵＬ上ではＳＣ−ＦＤＭＡが使用される。以下の詳細な説明から当業者が容易に認識するように、本明細書に提示される様々な概念は、ＬＴＥアプリケーションによく適している。しかしながら、これらの概念は、他の変調および多元接続技法を用いる他の電気通信規格に容易に拡張されうる。例として、これらの概念は、ＥＶ−ＤＯ（Evolution-Data Optimized）またはウルトラモバイルブロードバンド（ＵＭＢ）に拡張されうる。ＥＶ−ＤＯおよびＵＭＢは、ＣＤＭＡ２０００規格群の一部として第３世代パートナーシッププロジェクト２（３ＧＰＰ２）により発表されたエアインターフェース規格であり、モバイル局へのブロードバンドインターネットアクセスを提供するためにＣＤＭＡを用いる。これらの概念はまた、広帯域ＣＤＭＡ（Ｗ−ＣＤＭＡ（登録商標））およびＴＤ−ＳＣＤＭＡのようなＣＤＭＡの他の変形を用いるユニバーサル地上無線アクセス（ＵＴＲＡ）、ＴＤＭＡを用いるモバイル通信ためのグローバルシステム（ＧＳＭ（登録商標））、ＯＦＤＭＡを用いる、発展型ＵＴＲＡ（Ｅ−ＵＴＲＡ）、ＩＥＥＥ ８０２.１１（Ｗｉ−Ｆｉ）、ＩＥＥＥ ８０２.１６（ＷｉＭＡＸ）、ＩＥＥＥ ８０２.２０、およびフラッシュＯＦＤＭに拡張されうる。ＵＴＲＡ、Ｅ−ＵＴＲＡ、ＵＭＴＳ、ＬＴＥ、およびＧＳＭは、３ＧＰＰという団体からの文書で説明されている。ＣＤＭＡ２０００およびＵＭＢは、３ＧＰＰ２という団体からの文書で説明されている。用いられる実際のワイヤレス通信規格および多元接続技術は、特定のアプリケーションとシステムに課された全体的な設計の制約とに依存するだろう。
【００１７】
ｅＮＢ ２０４は、ＭＩＭＯ技術をサポートする複数のアンテナを有しうる。ＭＩＭＯ技術の使用により、ｅＮＢ ２０４は、空間領域を利用して、空間多重化、ビームフォーミング、および送信ダイバーシティをサポートすることができる。空間多重化は、異なるデータストリームを同じ周波数上で同時に送信するために使用されうる。データストリームは、データレートを増加させるために単一のＵＥ ２０６に送信されるか、全システム容量を増加させるために複数のＵＥ ２０６に送信されうる。これは、各データストリームを空間的にプリコーディングして（すなわち、振幅および位相のスケーリングを適用して）、ＤＬ上の複数の送信アンテナを通して空間的にプリコーディングされた各ストリームを送信することによって達成される。空間的にプリコーディングされたデータストリームは、異なる空間シグネチャを伴ってＵＥ ２０６に到達し、それにより、ＵＥ ２０６の各々は、そのＵＥ ２０６宛ての１つ以上のデータストリームを復元することができる。ＵＬ上で、各ＵＥ ２０６は、空間的にプリコーディングされたデータストリームを送信し、それによって、ｅＮＢ ２０４は、空間的にプリコーティングされた各データストリームの発信源（source）を識別することができる。
【００１８】
空間多重化は一般的に、チャネル条件が良好な場合に使用される。チャネル条件がさほど良好でない場合には、１つ以上の方向に送信エネルギを集中させるために、ビームフォーミングが使用されうる。これは、複数のアンテナによる送信のためにデータを空間的にプリコーディングすることによって、達成されうる。セルのエッジで優れたカバレッジを達成するために、単一ストリームのビームフォーミング送信が送信ダイバーシティと組み合わせて使用されうる。
【００１９】
以下の詳細な説明では、アクセスネットワークの様々な態様が、ＤＬ上でＯＦＤＭをサポートするＭＩＭＯシステムに関連して説明されるだろう。ＯＦＤＭは、ＯＦＤＭシンボル内の多数のサブキャリアにわたってデータを変調する拡散スペクトル技法である。これらのサブキャリアは、精確な周波数間隔があけられている。この間隔あけ（spacing）は、「直交性」を提供し、それによって、受信機は、これらのサブキャリアからデータを復元することができる。時間領域では、ＯＦＤＭシンボル間干渉を抑制（combat）するために、各ＯＦＤＭシンボルにガードインターバル（例えば、サイクリックプリフィックス）が追加されうる。ＵＬは、高いピーク対平均電力比（ＰＡＰＲ）を補償するために、ＤＦＴ拡散ＯＦＤＭ信号の形態でＳＣ−ＦＤＭＡを使用しうる。
【００２０】
図３は、ＬＴＥにおけるＤＬフレーム構造の例を示す図３００である。フレーム（１０ｍｓ）は、１０個の等しいサイズのサブフレームに分割されうる。各サブフレームは、２個の連続する時間スロットを含みうる。２個の時間スロットを表すためにリソースグリッドが使用され、各時間スロットは、リソースブロックを含む。リソースグリッドは、複数のリソース構成要素に分割される。ＬＴＥでは、１つのリソースブロックは、周波数領域で１２個の連続するサブキャリアを、各ＯＦＤＭシンボル内の通常サイクリックプリフィクスについて、時間領域で７個の連続するＯＦＤＭシンボルを含む。すなわち、８４個のリソース構成要素を含む。拡張サイクリックプリフィックスの場合、リソースブロックは、時間領域に６個の連続したＯＦＤＭシンボルを含むため、７２個のリソース構成要素を有する。リソース構成要素のうちのいくつかは、Ｒ ３０２,３０４で示されるように、ＤＬ基準信号（ＤＬ−ＲＳ）を含む。ＤＬ−ＲＳは、セル固有ＲＳ（ＣＲＳ）（共通ＲＳと呼ばれることもある）３０２と、ＵＥ固有ＲＳ（ＵＥ−ＲＳ）３０４とを含む。ＵＥ−ＲＳ ３０４は、対応する物理ＤＬ共有チャネル（ＰＤＳＣＨ）がマッピングされたリソースブロックのみで送信される。各リソース構成要素によって搬送されるビット数は、変調スキームに依存する。すなわち、ＵＥが受信するリソースブロックが多いほど、また、変調スキームが高度であるほど、そのＵＥについてのデータレートは高くなる。
【００２１】
図４は、ＬＴＥにおけるＵＬフレーム構造の例を示す図４００である。ＵＬのために利用可能なリソースブロックは、データセクションと制御セクションとに分割されうる。制御セクションは、システム帯域幅の両端に形成され、設定可能なサイズを有しうる。制御セクションのリソースブロックは、制御情報の送信のためにＵＥに割り当てられうる。データセクションは、制御セクションに含まれないすべてのリソースブロックを含みうる。ＵＬフレーム構造は、単一のＵＥにデータセクションにおける連続するサブキャリアのすべてが割り当てられることを可能にしうる、連続するサブキャリアを含むデータセクションに帰着する。
【００２２】
ＵＥは、ｅＮＢに制御情報を送信するために、制御セクションのリソースブロック４１０ａ、４１０ｂが割り当てられうる。ＵＥはまた、ｅＮＢにデータを送信するために、データセクションのリソースブロック４２０ａ、４２０ｂが割り当てられうる。ＵＥは、制御セクション内の割り当てられたリソースブロックにおいて物理ＵＬ制御チャネル（ＰＵＣＣＨ）上で制御情報を送信しうる。ＵＥは、データセクション内の割り当てられたリソースブロックにおいて、物理ＵＬ共有チャネル（ＰＵＳＣＨ）上で、データのみ、またはデータと制御情報の両方を送信しうる。ＵＬ送信は、１サブフレームの両スロットにおよび、周波数にわたってホッピングしうる。
【００２３】
リソースブロックのセットは、物理ランダムアクセスチャネル（ＰＲＡＣＨ）４３０において、初期システムアクセスを実行し、ＵＬ同期を達成するために使用されうる。ＰＲＡＣＨ ４３０はランダムシーケンスを搬送するが、ＵＬデータ／シグナリングを搬送することはできない。各ランダムアクセスプリアンブルは、連続する６個のリソースブロックに対応する帯域幅を占有する。開始周波数は、ネットワークによって指定される。すなわち、ランダムアクセスプリアンブルの送信は、ある特定の時間リソースおよび周波数リソースに限られる。ＰＲＡＣＨの場合、周波数ホッピングは存在しない。ＰＲＡＣＨ試行は、単一のサブフレーム（１ｍｓ）または連続した数サブフレームのシーケンスで搬送され、ＵＥは、１フレーム（１０ｍｓ）につき単一のＰＲＡＣＨ試行しか行うことはできない。
【００２４】
図５は、ＬＴＥにおけるユーザプレーンおよび制御プレーンのための無線プロトコルアーキテクチャの例を示す図５００である。ＵＥおよびｅＮＢのための無線プロトコルアーキテクチャが、レイヤ１、レイヤ２、およびレイヤ３という３つのレイヤを伴って示される。レイヤ１（Ｌ１レイヤ）は、最下位のレイヤであり、物理レイヤの様々な信号処理機能を実現する。Ｌ１レイヤは、本明細書において物理レイヤ ５０６と呼ばれるだろう。レイヤ２（Ｌ２レイヤ）５０８は、物理レイヤ５０６よりも上位であり、物理レイヤ５０６を介したＵＥとｅＮＢとの間のリンクを担う。
【００２５】
ユーザプレーンでは、Ｌ２レイヤ５０８は、媒体アクセス制御（ＭＡＣ）サブレイヤ５１０、無線リンク制御（ＲＬＣ）サブレイヤ５１２、パケットデータコンバージェンスプロトコル（ＰＤＣＰ）５１４サブレイヤを含み、それらは、ネットワーク側のｅＮＢで終端する。示されていないが、ＵＥは、ネットワーク側のＰＤＮゲートウェイ１１８で終端するネットワークレイヤ（例えば、ＩＰレイヤ）や、接続の他端（例えば、遠端のＵＥ、サーバ、等）で終端するアプリケーションレイヤを含む、Ｌ２レイヤ５０８よりも上の、いくつかの上位レイヤを有しうる。
【００２６】
ＰＤＣＰサブレイヤ５１４は、異なる無線ベアラと論理チャネルとの間での多重化を提供する。ＰＤＣＰサブレイヤ５１４はまた、無線送信オーバヘッドを減らすために上位レイヤのデータパケットに対してヘッダ圧縮を提供し、それらのデータパケットを暗号化することによってセキュリティを提供し、ｅＮＢ間でのＵＥのハンドオーバのサポートを提供する。ＲＬＣサブレイヤ５１２は、ハイブリッド自動再送要求（ＨＡＲＱ）により順序が乱れた受信を補償するために、上位レイヤのデータパケットのセグメンテーションおよびリアセンブリ、損失データパケットの再送、データパケットの並び替えを提供する。ＭＡＣサブレイヤ５１０は、論理チャネルと転送チャネルとの間の多重化を提供する。ＭＡＣサブレイヤ５１０はまた、１つのセルにおける様々な無線リソース（例えば、リソースブロック）の複数のＵＥ間での割当を担う。ＭＡＣサブレイヤ５１０はまた、ＨＡＲＱ動作を担う。
【００２７】
制御プレーンにおいて、ＵＥおよびｅＮＢのための無線プロトコルアーキテクチャは、制御プレーンではヘッダ圧縮機能がないという点を除き、物理レイヤ５０６およびＬ２レイヤ５０８の場合と実質的に同一である。制御プレーンはまた、レイヤ３（Ｌ３レイヤ）に無線リソース制御（ＲＲＣ）サブレイヤ５１６を含む。ＲＲＣサブレイヤ５１６は、無線リソース（すなわち、無線ベアラ）を取得することと、ｅＮＢとＵＥとの間でＲＲＣシグナリングを使用して下位レイヤを構成することとを担う。
【００２８】
図６は、アクセスネットワークにおいてＵＥ６５０と通信するｅＮＢ ６１０のブロック図である。ＤＬにおいて、コアネットワークからの上位レイヤのパケットが、コントローラ／プロセッサ６７５に提供される。コントローラ／プロセッサ６７５は、Ｌ２レイヤの機能性を実現する。ＤＬにおいて、コントローラ／プロセッサ６７５は、ヘッダ圧縮、暗号化、パケットのセグメンテーションおよび並び替え、論理チャネルと転送チャネルとの間での多重化、様々な優先順位メトリックに基づいたＵＥ ６５０への無線リソースの割り当てを提供する。コントローラ／プロセッサ６７５はまた、ＨＡＲＱ動作、損失パケットの再送、ＵＥ ６５０へのシグナリングを担う。
【００２９】
送信（ＴＸ）プロセッサ６１６は、Ｌ１レイヤ（すなわち、物理レイヤ）について様々な信号処理機能を実現する。これらの信号処理機能は、ＵＥ ６５０での順方向誤り訂正（ＦＥＣ）を容易にするためにコード化およびインターリーブすることと、様々な変調スキーム（例えば、２相位相変調（ＢＰＳＫ）、４相位相変調（ＱＰＳＫ）、Ｍ相位相変調（Ｍ−ＰＳＫ）、Ｍ値直交振幅変調（Ｍ−ＱＡＭ））に基づいて信号コンステレーションにマッピングすることとを含む。次に、コード化および変調されたシンボルは、並行ストリームに分けられる。次に、各ストリームは、ＯＦＤＭサブキャリアにマッピングされ、時間領域および／または周波数領域で基準信号（例えば、パイロット）と多重化され、次に、逆高速フーリエ変換（ＩＦＦＴ）を用いて共に組み合わせられ、時間領域ＯＦＤＭシンボルストリームを搬送する物理チャネルを生成する。ＯＦＤＭストリームは、複数の空間ストリームを生成するために空間的にプリコーディングされる。コード化および変調スキームを決定するため、および空間処理のために、チャネル推定器６７４からのチャネル推定値が使用されうる。チャネル推定値は、ＵＥ ６５０によって送信された基準信号および／またはチャネル条件フィードバックから導出されうる。次に、各空間ストリームは、別個の送信機６１８ＴＸを介して異なるアンテナ６２０に提供される。各送信機６１８ＴＸは、送信のためにそれぞれの空間ストリームによってＲＦキャリアを変調する。
【００３０】
ＵＥ ６５０において、各受信機６５４ＲＸは、そのそれぞれのアンテナ６５２によって、信号を受信する。各受信機６５４ＲＸは、ＲＦキャリア上に変調された情報を復元し、受信機（ＲＸ）プロセッサ６５６にその情報を提供する。ＲＸプロセッサ６５６は、Ｌ１レイヤの様々な信号処理機能を実現する。ＲＸプロセッサ６５６は、ＵＥ ６５０に向けられた任意の空間ストリームを復元するために情報に対して空間処理を実行する。複数の空間ストリームがＵＥ ６５０に向けられた場合、それらは、ＲＸプロセッサ６５６によって単一のＯＦＤＭシンボルストリームへと組み合わせられうる。次に、ＲＸプロセッサ６５６は、高速フーリエ変換（ＦＦＴ）を用いて、ＯＦＤＭシンボルストリームを時間領域から周波数領域に変換する。周波数領域信号は、ＯＦＤＭ信号のサブキャリアごとに別個のＯＦＤＭシンボルストリームを備える。各サブキャリア上のシンボルと基準信号とは、ｅＮＢ ６１０によって送信された最も可能性のある信号コンステレーションポイントを決定することによって復元および復調される。これらの軟判定は、チャネル推定器６５８によって計算されたチャネル推定値に基づきうる。次に、これらの軟判定は、復号およびデインターリーブされ、最初ｅＮＢ ６１０によって物理チャネル上で送信されたデータおよび制御信号が復元される。次に、これらのデータおよび制御信号が、コントローラ／プロセッサ６５９に提供される。
【００３１】
コントローラ／プロセッサ６５９は、Ｌ２レイヤを実現する。コントローラ／プロセッサは、プログラムコードおよびデータを記憶しているメモリ６６０に関連付けられうる。メモリ６６０は、コンピュータ読取可能な媒体と呼ばれうる。ＵＬでは、コントローラ／プロセッサ６５９は、転送チャネルと論理チャネルとの間での逆多重化、パケットのリアセンブリ、解読、ヘッダ圧縮解除、制御信号処理を提供して、コアネットワークからの上位レイヤパケットを復元する。次に、上位レイヤパケットは、データシンク６６２に提供されるが、それは、Ｌ２レイヤより上位のすべてのプロトコルレイヤを表す。様々な制御信号も同様に、Ｌ３処理のために、データシンク６６２に提供されうる。コントローラ／プロセッサ６５９はまた、ＨＡＲＱ動作をサポートするために、肯定応答（ＡＣＫ）および／または否定応答（ＮＡＣＫ）プロトコルを用いた誤り検出を担う。
【００３２】
ＵＬでは、データソース６６７は、コントローラ／プロセッサ６５９に上位レイヤパケットを提供するために使用される。データソース６６７は、Ｌ２レイヤより上位のすべてのプロトコルレイヤを表す。ｅＮＢ ６１０によるＤＬ送信に関連して説明された機能に類似して、コントローラ／プロセッサ６５９は、ヘッダ圧縮、暗号化、パケットのセグメンテーションと並び替え、およびｅＮＢ ６１０による無線リソースの割り当てに基づいた論理チャネルと転送チャネルとの間での多重化を提供することにより、ユーザプレーンおよび制御プレーンのためのＬ２レイヤを実現する。コントローラ／プロセッサ６５９はまた、ＨＡＲＱ動作、損失パケットの再送、ｅＮＢ ６１０へのシグナリングを担う。
【００３３】
ｅＮＢ ６１０によって送信された基準信号またはフィードバックからチャネル推定器６５８によって導出されたチャネル推定値は、適切なコード化および変調スキームを選択するため、および空間処理を容易にするために、ＴＸプロセッサ６６８によって使用されうる。ＴＸプロセッサ６６８によって生成された空間ストリームは、別個の送信機６５４ＴＸを介して異なるアンテナ６５２に提供される。各送信機６５４ＴＸは、送信のために、それぞれの空間ストリームによってＲＦキャリアを変調する。
【００３４】
ＵＬ送信は、ＵＥ ６５０における受信機機能に関連して説明されたものと同様の方法により、ｅＮＢ ６１０において処理される。各受信機６１８ＲＸは、そのそれぞれのアンテナ６２０を通して信号を受信する。各受信機６１８ＲＸは、ＲＦキャリア上に変調された情報を復元し、ＲＸプロセッサ６７０にその情報を提供する。ＲＸプロセッサ６７０は、Ｌ１レイヤを実現しうる。
【００３５】
コントローラ／プロセッサ６７５は、Ｌ２レイヤを実現する。コントローラ／プロセッサ６７５は、プログラムコードおよびデータを記憶したメモリ６７６と関連付けられうる。メモリ６７６は、コンピュータ読取可能な媒体と呼ばれうる。ＵＬにおいて、コントローラ／プロセッサ６７５は、転送チャネルと論理チャネルとの間での逆多重化、パケットのリアセンブリ、解読、ヘッダ圧縮解除、および制御信号処理を提供して、ＵＥ ６５０からの上位レイヤパケットを復元する。コントローラ／プロセッサ６７５からの上位レイヤパケットは、コアネットワークに提供されうる。コントローラ／プロセッサ６７５はまた、ＨＡＲＱ動作をサポートするためにＡＣＫおよび／またはＮＡＣＫプロトコルを用いた誤り検出も担う。
【００３６】
図７は、ＭＢＳＦＮにおける発展型マルチメディアブロードキャストマルチキャストサービス（ｅＭＢＭＳ）を示す図７５０である。セル７５２'のｅＮＢ ７５２は、第１のＭＢＳＦＮエリアを形成し、セル７５４’のｅＮＢ ７５４は、第２のＭＢＳＦＮエリアを形成しうる。ｅＮＢ ７５２および７５４は各々、例えば、最大で合計８つのＭＢＳＦＮエリアなど、他のＭＢＳＦＮエリアに関連付けられうる。ＭＢＳＦＮエリア内のセルは、リザーブドセルに指定されうる。リザーブドセルは、マルチキャスト／ブロードキャストコンテンツを提供しないが、セル７５２’および７５４’に時間同期化されており、ＭＢＳＦＮエリアへの干渉を制限するために、ＭＢＳＦＮリソース上で限られた電力を有する。ＭＢＳＦＮエリア内の各ｅＮＢは、同じｅＭＢＭＳ制御情報およびデータを同期的に送信する。各エリアは、ブロードキャストサービス、マルチキャストサービス、およびユニキャストサービスをサポートしうる。ユニキャストサービスは、特定のユーザに向けられたサービス、例えば、音声呼である。マルチキャストサービスは、ユーザのグループによって受信されうるサービス、例えば、会員制ビデオサービスなどである。ブロードキャストサービスは、すべてのユーザによって受信されうるサービス、例えば、ニュースブロードキャストなどである。図７に関して、第１のＭＢＳＦＮエリアは、例えば、特定のニュースブロードキャストをＵＥ ７７０に提供することによって、第１のｅＭＢＭＳブロードキャストサービスをサポートしうる。第２のＭＢＳＦＮエリアは、例えば、異なるニュースブロードキャストをＵＥ ７６０に提供することによって、第２のｅＭＢＭＳブロードキャストサービスをサポートしうる。各ＭＢＳＦＮエリアは、複数の物理マルチキャストチャネル（ＰＭＣＨ）（例えば、１５個のＰＭＣＨ）をサポートする。各ＰＭＣＨは、マルチキャストチャネル（ＭＣＨ）に対応する。各ＭＣＨは、複数（例えば、２９個）のマルチキャスト論理チャネルを多重化することができる。各ＭＢＳＦＮエリアは、１つのマルチキャスト制御チャネル（ＭＣＣＨ）を有しうる。このように、１つのＭＣＨは、１つのＭＣＣＨと複数のマルチキャストトラフィックチャネル（ＭＴＣＨ）とを多重化し、残りのＭＣＨは、複数のＭＴＣＨを多重化しうる。
【００３７】
３ＧＰＰマルチメディアブロードキャストマルチキャストサービス（ＭＢＭＳ）、３ＧＰＰ２ブロードキャストおよびマルチメディアサービス（ＢＣＭＣＳ）、ＤＶＢ−Ｈ（Digital Video Broadcasting−Handheld）、ＡＴＳＣ−Ｍ／Ｈ（Advanced Television Systems Committee - Mobile/Handheld）、等、セルラまたはブロードキャストネットワークに基づいた技術のようなマルチキャストコンテンツ配信システムでは、レイテンシを減らすと同時にサービス／コンテンツを効率的に配信することに相当な関心がある。ＵＭＴＳ ＬＴＥは、デジタルブロードキャストラジオおよびデジタルビデオブロードキャストのような共有（マルチキャスト）タイプのサービスを可能にする。発展型ＭＢＭＳ（ｅＭＢＭＳ）の特徴は、マルチメディアブロードキャスト単一周波数ネットワーク（ＭＢＳＦＮ）動作モードで提供され、ＵＭＴＳ ＬＴＥのｅＮＢを用いて同じメディア信号を、同じ地理的領域内の複数の受け手（recipient）に同時に送信することができる。ブロードキャスト動作の性質により、および、効率的なサービスプロビジョンのために、これらのサービスの配給は、例えば、メトロポリタンエリアの一部、またはそれ全体をカバーする１つ以上の送信機サイトによるブロードキャストなど、大きい地理的領域にわたって生じうる。名称が暗示しているように、ｅＭＢＭＳは、ＬＴＥのためにＭＢＭＳを強化させたバージョンである。ｅＭＢＭＳは、本明細書においてＭＢＭＳサービスエリアと呼ばれうる特定のエリアに位置付けられた１つ以上のユーザ機器に、デジタルＴＶのようなコンテンツをブロードキャストするために使用されうる。ＭＢＭＳサービスエリアは典型的に、複数のセルおよび／またはｅＮＢを含む。ＭＢＳＦＮでは、ＭＢＭＳサービスエリアに属する複数のセルから、時間同期化された方法で、同じ物理リソースを用いて同じ転送フォーマットで同じデータが送信されうる。ユーザ機器側で、これらの送信は、単一のセルからのマルチパス送信として扱われ、これにより、これらの送信は、信号強度を高め、干渉を減らすために組み合わせられることが可能となる。この技法は、ＬＴＥ ｅＭＢＭＳサービスの送信の効率を高め、無線チャネル上でのフェーディングに対して、さらなるダイバーシティを提供しうる。現在のシステムはｅＭＢＭＳであるが、これは、例示であって限定ではなく、開示されたアプローチが、ＭＢＭＳを含む他のブロードキャストシステムおよび他のシステムに適用されうることに注意されたい。
【００３８】
ｅＭＢＭＳのようなサービスは、動的適応型ＨＴＴＰストリーミング（ＤＡＳＨ）メディアセグメントの配信を利用して、ストリーミングメディアサービスを提供し、それによって、ＤＡＳＨセグメントは、個々のファイルとして配信されうる。ブロードキャストサービスについて、ＤＡＳＨ転送は、ＨＴＴＰの代わりにＦＬＵＴＥ（File Delivery over Unidirectional Transport）を用いうる。ＦＬＵＴＥは、データ配信のためのファイルの単一方向（例えば、ブロードキャスト等で）配信についてのプロトコルであり、セッションで配信されるべきファイルについてのファイル記述エントリのセットをシグナリングするためのメカニズムとしてファイル配信テーブル（ＦＤＴ）を利用する。ＦＤＴエントリは、所与のファイルに属するパケットを識別するために、ファイル名と、コンテンツ位置とも呼ばれるＵＲＩ（Uniform Resource Identifier）と転送オブジェクトＩＤ（ＴＯＩ）との間のマッピング情報とを含む。さらに、これらのファイルに対して順方向誤り訂正（ＦＥＣ）符号化が適用され、それによって、ＦＤＴはさらに、どのＦＥＣスキームが使用されるか、および、ＦＥＣ固有パラメータを説明しうる。ＦＤＴは、ＦＬＵＴＥセッションで配信されるべきファイルについてのファイル記述エントリのセットを含みうる。各ファイル配信セッションは、所与のセッションにローカルであるＦＤＴを有する。
【００３９】
図８は、本明細書でさらに説明されており、ＤＡＳＨを介してブロードキャストコンテンツを配信する１つのアプローチを示す。ブロードキャストシステムによって定義される各ユーザサービス（例えば、ＣＮＮ、ＡＢＣ、ＣＢＳ、ＥＳＰＮのようなＴＶチャネル）は、そのユーザサービスに対応するＤＡＳＨセグメントを搬送するＦＬＵＴＥセッションを通して送信されうる。加えて、ユーザサービス記述（ＵＳＤ）ＦＬＵＴＥセッションが送信され、ブロードキャストされているユーザサービスのＵＥサービスディスカバリを可能にする。ＵＳＤは、ＭＢＭＳブロードキャストシステムにおいて利用可能なサービスを定義するシステム情報（ＳＩ）についての同等のＭＢＭＳメッセージ定義である。他のブロードキャストシステムは、ＳＩについて異なるフォーマットを定義しうる。
【００４０】
ＭＢＭＳにおいて、ＵＳＤメタデータフラグメントは、（１）セッション記述フラグメント（ＳＤＰフラグメントとも呼ばれる）を順に参照するサービスバンドルメタデータフラグメントのシーケンス、および（２）各ユーザサービスについてのメディアプレゼンテーション記述（ＭＰＤ）フラグメントを含むＦＬＵＴＥセッションで転送されうる。各サービスバンドルフラグメントは、ＭＢＭＳシステムにおいて利用可能な１つ以上のサービスを記述する。ＳＤＰフラグメントは、ユーザサービスのためのメディアコンテンツを配信するのに使用される転送プロトコルを記述する。開示されるシステムの１つの態様において、ＳＤＰフラグメントは、ＤＡＳＨセグメントをメディアコンテンツとして配信するユーザサービスに対して使用される場合のＦＬＵＴＥセッションを記述する。
【００４１】
ＭＢＭＳユーザサービスに関連付けられたＭＰＤフラグメントは、その特定のユーザサービスに対して、ＦＬＵＴＥセッションで搬送されるメディアセグメントおよび初期化セグメントについての情報を提供する。ＦＬＵＴＥセッション情報は、そのユーザサービスのために、関連ＳＤＰフラグメントで定義されうる。具体的に、初期化セグメントおよびメディアセグメントという２つのタイプのデータセグメントがＭＰＤで定義されうる。既存のアプローチでは、初期化セグメントがメディアコンテンツの符号化を記述するメタデータをクライアントに提供し、ユーザサービスに属するメディアコンテンツの保護に関連付けられたＤＲＭシステムのアイデンティティなどの他の情報を含みうるため、ＵＥは、メディアセグメントが処理されうる前にＤＡＳＨのための初期化セグメントを獲得しなければならない。そのため、初期化セグメントは典型的に、メディアセグメントに含まれるコンテンツを再生するのに必要とされる際、起動レイテンシが減らされるために獲得が迅速に行われるように、非常に小さいサイズである。ブロードキャストＤＡＳＨサービスについて、初期化セグメントおよびメディアセグメントを送信するために、ＦＬＵＴＥセッションが使用される。
【００４２】
上のアプローチで起こりうる問題には、初期獲得レイテンシおよびサービス切替時間が含まれうる。結果として、ＵＥは、所望のユーザサービスコンテンツを時間通りに表示することができない場合があり、これは、ユーザ満足／エンジョイメントの減少につながる。ＤＡＳＨ形式のブロードキャストコンテンツビアを配信するための代替的なアプローチが図９に示される。ここで、サービスのメディアコンテンツの処理を開始するのに必要な初期化セグメントは、ＵＳＤ ＦＬＵＴＥセッションの一部として搬送されうる。初期サービスディスカバリプロシージャの間、ＵＥは、各ＭＢＭＳユーザサービスについての初期化セグメント、ならびに関連バンドル、各ＳＤＰ、およびＭＰＤ情報をキャッシュに格納する。これは、ＤＡＳＨ符号化コンテンツとして搬送されたＭＢＭＳサービスを開始する際、または、ＤＡＳＨ符号化ＭＢＭＳサービス間で切り替わる際に、減らされたレイテンシを提供しうる。ＵＥ上でのコンテンツレンダリングの開始は、図８に示されるアプローチでは、例えば、ＣＮＮ ＦＬＵＴＥセッションなどのユーザサービスＦＬＵＴＥセッションに含まれる初期化セグメントの受信に依存しない。
【００４３】
１つの態様において、初期化セグメントは、既存のＵＥとの下位互換性を可能にするためにＵＳＤ ＦＬＵＴＥセッションおよび個々のＦＬＵＴＥセッションの両方で送られうる。別の態様において、初期化セグメントは、システムリソースを保存するために、個々のＦＬＵＴＥセッションで送られない可能性がある。
【００４４】
図１０は、少なくとも１つのピリオド１００２を含むＭＰＤについてのハイレベルな拡張マークアップ言語（ＸＭＬ）スキーム構造１０００を示す。図１１は、図１０のＭＰＤにおける少なくとも１つのピリオド１００２についてのハイレベルなＸＭＬスキーム構造１１００を示す。ピリオド構造１１００は、複数のリプレゼンテーション１１０２を含みうる。図１２は、ピリオド構造１１００の１つのリプレゼンテーションについてのハイレベルなＸＭＬスキーム構造１２００を示す。各リプレゼンテーション構造１２００は、セグメント情報１２０２を含む。
【００４５】
図１３は、リプレゼンテーション構造１２００のセグメント情報についてのハイレベルなＸＭＬスキーム構造１３００を示す。初期化セグメント１３０２とメディアセグメントという２つのタイプのセグメントがＵＲＬを介してＭＰＤで参照される。図１３に示されるように、メディアセグメントは、UrlTemplate構成要素１３０４、Ｕｒｌ構成要素のシーケンス１３０６、または、SegmentList構成要素１３０８を介して記述されうる。初期化セグメントは、InitializationSegmentURL、または、インデックス０（ゼロ）のUrlTemplateのいずれかによって明示的に識別される。
【００４６】
例として、図８のＣＮＮサービスでは、初期化セグメントのためのＵＲＬは、図９に示されるようなＵＳＤ ＦＬＵＴＥ転送におけるInitSigフラグメントのＵＲＬを表すhttp://cnn.embms.com/InitSeg.3gpで与えられうる。同様に、メディアセグメントのＵＲＬは、http://cnn.embms.com/MediaSeg$index$.3gpの形態をとり、ここで、$index$は、MediaSeg$index$が、図９に示されるようなＤＡＳＨコンテンツとして搬送されるユーザサービスのためのＦＬＵＴＥセッションにおいてMediaSeg#（例えばMediaSeg3）として簡単に表されうるように、数字と置き換えられうる。ダウンロード配信転送は、それぞれのＦＬＵＴＥセッションについてＦＤＴでこれらのＵＲＬを報告し、ファイルは、ＦＬＵＴＥセッションでパケットとして送られる。図９は、各セグメント／ファイルについてのパケットの時系列送信を示す。
【００４７】
ｅＭＢＭＳにおいて、ユーザサービスは、図１４〜１６に示されるフォーマットでメタデータフラグメントを介して記述されうる。図１４は、ユーザサービス記述構成要素１５００によって図１５に示されるパラメータを用いて、少なくとも１つのユーザサービス定義１４０２を含むサービスバンドルメタデータフラグメント１４００のためのフォーマットを記述する。そのようなパラメータの１つのセットは、図１６の配信方法メタデータ１６００によってさらに説明されるような配信方法パラメータ１５０２でありうる。ユーザサービス情報（例えば、ＵＳＤ）がｅＭＢＭＳを通してブロードキャストされると、bundleDescriptionメタデータフラグメント１４００および他のメタデータフラグメント（例えば、セッション記述フラグメント）は、例えば、ＵＳＤメタデータフラグメントの転送専用のＦＬＵＴＥセッションのような、ＵＳＤメタデータフラグメントの転送を含むＦＬＵＴＥセッションで搬送されうる。
【００４８】
ｅＭＢＭＳブロードキャストＤＡＳＨサービスは、以下の構成要素で図１６に示された配信方法タイプによって記述されうる。  
−sessionDescriptionURI構成要素１６０２は、セッションのＤＡＳＨセグメントの転送のために使用されるＦＬＵＴＥセッションを記述するＳＤＰファイル（メタデータフラグメントとして転送された）を指す。  
−mpdURI構成要素１６０４は、ユーザサービスディスカバリメタデータフラグメントを転送するために使用されるＦＬＵＴＥセッションでメタデータフラグメントとして搬送されるＭＰＤについてのＵＲＬを示しうる。
【００４９】
ＦＬＵＴＥセッションはブロードキャストＤＡＳＨサービスについて定義されているため、初期化セグメントとメディアセグメントは両方とも、３つの異なるＦＬＵＴＥセッションが示される図８で示されるように、そのサービスについて定義された同じＦＬＵＴＥセッションで配信されうる。ＦＬＵＴＥセッションは、専用ＵＳＤ ＦＬＵＴＥセッション８１０を含みうる。ＵＳＤ ＦＬＵＴＥセッション８１０は、（１つまたは複数の）ブロードキャストユーザサービスに関連付けられた記述情報を搬送する。ＵＳＤ ＦＬＵＴＥセッションは、サービスディスカバリの間ＵＥによって使用されうる。例として、ＵＳＤ ＦＬＵＴＥセッション８１０は、ケーブルニュースネットワーク（ＣＮＮ）ブロードキャストの場合には、ＣＮＮサービスバンドルフラグメント８１２ａ、ＣＮＮセッション記述（ＳＤＰ）フラグメント８１２ｂ、およびＣＮＮ ＭＰＤフラグメント８１２ｃを含み、アメリカンブロードキャスティングカンパニ（ＡＢＣ）ブロードキャストセッションの場合には、ＡＢＣサービスバンドルフラグメント８１４ａ、ＡＢＣ ＳＤＰフラグメント８１４ｂ、およびＡＢＣ ＭＰＤフラグメント８１４ｃを含む。コロンビアブロードキャスティングシステム（ＣＢＳ）サービスバンドルフラグメント８１６ａもまた、ＵＳＤ ＦＬＵＴＥセッション８１０の構造の繰り返しを示すために示されている。
【００５０】
図８を続けて参照すると、ＣＮＮサービスに関連付けられたＣＮＮ ＦＬＵＴＥセッション８４０は、メディアセグメント８４２ａ〜８４２ｅなどの複数のメディアセグメントを含み、初期化セグメント８４４ａ、８４４ｂの形で初期化データが組み入れられている。同様に、ＡＢＣサービスに関連付けられたＡＢＣ ＦＬＵＴＥセッション８６０は、メディアセグメント８６２ａ〜８６２ｅなどの複数のメディアセグメントを含み、初期化セグメント８６４ａ、８６４ｂの形態で初期化データが組み入れられている。
【００５１】
ファイル配信セッションを受信し始めるために、受信機は、そのセッションに関連付けられた転送パラメータを知る必要がある。受信機が知る必要のありうるセッションの転送パラメータには、例えば、ソースＩＰアドレス、セッションのチャンネル数、セッションにおける各チャネルについての宛先ＩＰアドレスおよびポート番号、セッションの転送セッション識別子（ＴＳＩ）、セッションがＦＬＵＴＥセッションであることを示すインジケーション、ならびに、逆多重化オブジェクトが必要か否か、が含まれる。使用されうるオプションのパラメータには、セッションの開始時間および終了時間、デフォルトの符号化がＦＤＴに使用されない場合の順方向誤りコード化（ＦＥＣ）符号化ＩＤおよびＦＥＣインスタンスＩＤ、ならびに、ＦＤＴのためのコンテンツ符号化フォーマットが含まれる。これらのパラメータは、ＳＤＰプロトコルに関連付けられたセッション記述フラグメントに含まれるセッション記述シンタックスにしたがって記述されうる。
【００５２】
図８に例示されたＦＬＵＴＥセッション構造で転送されるＤＡＳＨセグメントは、いくつかのブロードキャスト展開における解決策でありうるが、そのような構造は、以下の欠点を有しうる。  
−初期化セグメントは典型的に、ブロードキャストＤＡＳＨサービスの受信を選択する新しいデバイスのサービスの起動を可能にするために、周期的および反復的にブロードキャストされる必要がある。初期化セグメントのコンテンツは、時間にわたって更新されうる（例えば、主要プログラムを再生するのに使用されるものとは異なる初期化セグメントがプログラムの広告の再生に応じて送られうる）。加えて、所与の初期化セグメントインスタンスの有効期間の間、初期化セグメントは、例えば、初期化セグメントが、ブロードキャストサービスを受信するために異なる時間に電源を入れるデバイスによって受信されることを確実にするために、繰り返し送信されうる。  
−しかしながら、帯域幅効率のための初期化セグメントの頻繁でない送信は、初期獲得レイテンシ（ＤＡＳＨサービスのアクティブ化が初めてのデバイスの場合）およびチャネル切替遅延（１つのブロードキャストＤＡＳＨサービスから別のものに動的に「チャネルを変更する」デバイスの場合）を増加させるだろう。  
−初期化セグメントの頻繁な送信は、起動レイテンシおよびチャネル切替レイテンシを減少させる可能性があるが、このオーバヘッド情報の転送のために、より多くの送信リソース（帯域幅）を消費する。
【００５３】
ブロードキャストＤＡＳＨサービスについての初期獲得レイテンシおよびチャネル切替レイテンシは、ブロードキャストセッションを観る際のユーザ経験の品質を決定するのに重要なパラメータでありうる。起動レイテンシを減らすため、および／または、異なるコンテンツチャネル間でのチャンル切替時間の知覚性能を高めるために、本明細書で説明されるシステムは、転送メディアセグメントを転送するのに使用されるものとは異なる、ＦＬＵＴＥセッションで転送されるべきｅＭＢＭＳにおけるブロードキャストＤＡＳＨサービスのために初期化セグメントを提供する。このＦＬＵＴＥセッションは、専用のＵＳＤ ＦＬＵＴＥセッションでありうるか、場合によっては、ＵＥに知られている別のＦＬＵＴＥセッションでありうる。
【００５４】
図１７は、ＦＤＴインスタンスを搬送するＦＤＴパケットを示す図１７００である。ＦＤＴパケットは、ユーザデータグラムプロトコル（ＵＤＰ）ヘッダ１７０２、デフォルトレイヤコード化転送（ＬＣＴ）ヘッダ１７０４、ＬＣＴヘッダ拡張１７０６、順方向誤り訂正（ＦＥＣ）ペイロード識別子１７０８、および、ＦＤＴインスタンスを含むＦＬＵＴＥペイロード１７１０を含む。
【００５５】
図１０−１７は、本明細書で説明されたＤＡＳＨ初期化セグメントのブロードキャストを実現するためのデータ、ハードウェア、およびネットワークアーキテクチャの様々な態様を示す。これらは、例とみなされるべきであり、システムが実現されうる様々な方法に限定するものではない。
【００５６】
本明細書で説明されるように、ブロードキャストサービスデータの配信は、ＦＬＵＴＥプロトコルを経由しうる。ＦＬＵＴＥプロトコルは、ＩＰマルチキャストによるファイルの配信をサポートし、様々なセルラおよびダウンリンク専用ブロードキャストシステム規格でのファイルコンテンツのダウンロード配信用に指定されうる。これらは、ＭＢＭＳ、ＢＣＭＣＳ、ＤＶＢ−Ｈ、およびＯＭＡ ＢＣＡＳＴ（Open Mobile Alliance Mobile Broadcast Services Enabler Suite）を含みうる。例示的な実施形態はとりわけＦＬＵＴＥの範囲内で述べられているが、これらの例示的な実施形態は、ＡＬＣ（Asynchronous Layered Coding）にも適用されうる。
【００５７】
ＦＬＵＴＥプロトコルは、ＡＬＣの特定の転送アプリケーションである。ＦＬＵＴＥプロトコルは、下記機能を追加する：（１）ＡＬＣオブジェクト配信セッションフレームワーク上に構築されたファイル配信セッションの定義、（２）ＡＬＣセッションの転送パラメータの帯域内シグナリング、（３）配信されたファイルの属性および発信源のロケーションの帯域内シグナリング、ならびに（４）セッション内の組み合せられた配信のための複数のファイル間の詳細な関係。（３）の間、ＦＤＴインスタンスは、上述されたように、ターゲットエリアおよび他の関連パラメータを含むように拡張される。ファイル属性は、ＦＤＴの定義によってＦＬＵＴＥで送信されうる。それらの各インスタンスは、ブロードキャストファイルの識別子、サイズ、コンテンツ符号化方法等のそれぞれといった、配信されているブロードキャストファイルの記述子のセットを提供する。
【００５８】
本明細書で開示されるシステムの１つの態様において、ｅＭＢＭＳにおけるブロードキャストＤＡＳＨサービスのための初期化セグメントは、メディアセグメントを転送するのに使用されるものとは異なるＦＬＵＴＥセッションで転送されるだろう。これは、ＵＳＤ情報を転送するのに使用されたのと同じＦＬＵＴＥセッションでありうるか、デバイスに知られているさらに別のＦＬＵＴＥセッションでありうる。あるセッションのための初期化セグメントが別のＦＬＵＴＥセッションによって転送されると、ＵＥは、その初期化セグメントがどこで見つけられうるかを示すようにシグナリングされうる。このシグナリングは、図１３で示されたように、初期化セグメントのためにＭＤＰで指定されたようなＵＲＬが初期化セグメントフラグメントのためのＵＲＬに同等であり、それらがＵＳＤのためのＦＬＵＴＥセッションで搬送されると想定することによって達成されうる。さらなる情報が利用可能でない場合、これは、サービスのための初期化セグメントが、そのサービスのために定義されたＦＬＵＴＥセッションで搬送されず、むしろ、例えば、ＵＳＤフラグメントのためのＦＬＵＴＥセッションのような、デバイスに知られている別のＦＬＵＴＥセッションで搬送されることをシグナリングする。
【００５９】
図９に戻って参照すると、ＵＳＤ ＦＬＵＴＥセッション９１０を含む、ＭＢＭＳシステムで定義された３つの異なるＦＬＵＴＥセッションが示されている。ＵＳＤ ＦＬＵＴＥセッション９１０は、ＵＥサービスディスカバリの間に使用されうるブロードキャストコンテンツのための情報を含む。一例として、ＵＳＤ ＦＬＵＴＥセッション９１０は、ＣＮＮブロードキャストセッションの場合には、ＣＮＮバンドル９１２ａ、ＣＮＮ ＳＤＰ ９１２ｂ、およびＣＮＮ ＭＰＤ ９１２ｃを含み、ＡＢＣブロードキャストセッションの場合には、ＡＢＣバンドル９１４ａ、ＡＢＣ ＳＤＰ ９１４ｂ、およびＡＢＣ ＭＰＤ ９１４ｃを含みうる。それぞれＣＮＮサービスおよびＡＢＣサービスのための初期化セグメント９１２ｄ、９１４ｄのような初期化セグメントが、ＵＳＤ ＦＬＵＴＥセッション９１０に組み入れられる。図９を続けて参照すると、他のＦＬＵＴＥセッションは、サービスのメディアセグメントの転送専用である。例えば、ＣＮＮサービスに関連付けられたＣＮＮ ＦＬＵＴＥセッション９４０は、メディアセグメント９４２ａ−９４２ｇのような複数のメディアセグメントを含む。同様に、ＡＢＣサービスに関連付けられたＡＢＣ ＦＬＵＴＥセッション９６０は、メディアセグメント９６２ａ−９６２ｇのような複数のメディアセグメントを含む。
【００６０】
代替的に、初期化セグメントがいつサービスについて定義されたＦＬＵＴＥセッション以外のＦＬＵＴＥセッションで搬送されるかをシグナリングすることが望まれうる。一態様において、これは、図１８のデータフラグメント１８００内の参照１８０２によって示されるように、ブロードキャストＤＡＳＨサービスについての配信方法に初期化セグメントへの参照を含むことによって達成されうる。例えば、図１３のＭＰＤで示されたＵＲＬに類似したＵＲＬは、初期化セグメントのロケーションをシグナリングするために使用されうる。これは、ＤＡＳＨサービスのための初期化セグメントが、サービスのために定義されたＦＬＵＴＥセッションで搬送されるか否かを明示的にシグナリングするための方法でありうる。サービスについての配信方法にＵＲＬが含まれる場合、そのようなＵＲＬの存在は、サービスのための初期化セグメントが、そのサービスのために定義されたＦＬＵＴＥセッションで搬送されず、むしろ、例えば、ＵＳＤフラグメントのためのＦＬＵＴＥセッションのようなデバイスに知られている別のＦＬＵＴＥセッションで搬送されることをシグナリングする。しかしながら、サービスについての配信方法におけるＵＲＬの欠落は、サービスのための初期化セグメントが、そのサービスのために定義されたＦＬＵＴＥセッションで搬送されることをシグナリングし、それは、ＤＡＳＨサービスへの初期獲得およびチャネル切替が重要でない場合に、興味を引く可能性がある。
【００６１】
別の態様において、図１８の初期化セグメントを指すＵＲＬは、サービスに対して定義されたＦＬＵＴＥセッション以外のＦＬＵＴＥセッション上での初期化セグメントの転送、サービスのための対応ＭＰＤのものと一致する必要はない。captureInitSegment属性１９０２は、図１９に示されるように、ブロードキャストＤＡＳＨサービスについての配信方法構成要素１９００に追加されうる。captureInitSegment属性１９０２は、含まれたＭＰＤにおける初期化セグメントＵＲＬが、そのサービスのために定義されたＦＬＵＴＥセッション以外のＦＬＵＴＥセッションを通して配信されるであろうことを示す。このアプローチを用いて、ＤＡＳＨサービスのための初期化セグメントが、サービスのために定義されたＦＬＵＴＥセッションで搬送されるか否かが明示的にシグナリングされうる。サービスについての配信方法内のcaptrueInitSegmentは、サービスのための初期化セグメントが、そのサービスのために定義されたＦＬＵＴＥセッションで搬送されず、むしろ、例えば、ＵＳＤフラグメントのためのＦＬＵＴＥセッションのような、デバイスに知られている別のＦＬＵＴＥセッションで搬送されることをシグナリングするためにＴｒｕｅに設定されうる。初期化セグメントのためのＵＲＬは、サービスのためのＭＰＤで定義されたものである。サービスについての配信方法におけるcaptureInitSegmentは、サービスのための初期化セグメントが、そのサービスのために定義されたＦＬＵＴＥセッションで搬送されることをシグナリングするためにＦａｌｓｅに設定されうる。
【００６２】
代替的に、初期化セグメントがサービスのためのＦＬＵＴＥセッションで搬送されるか否かを明示的にシグナリングしない場合、図１８におけるデータフラグメント１８００内の追加情報１８０２は必要ない可能性がある。この方法の場合、ＵＥは、最初、初期化セグメントが、例えば、図９で示されるようなＵＳＤフラグメントのために使用されたのと同じＦＬＵＴＥセッションで見つかるであろうことを想定しうる。その後、初期化セグメントが、ＵＳＤフラグメントに使用されたのと同じＦＬＵＴＥセッションで利用可能でないと決定されると、ＵＥは、図８にあるような、サービスセグメントのために使用されるのと同じＦＬＵＴＥセッションで初期化セグメントを見つけることができる。例えば、初期化セグメントがＵＳＤフラグメントのためのＦＬＵＴＥセッションに含まれないと決定がなされた場合、ＵＥは、サービスセグメントに使用されるＦＬＵＴＥセッションで初期化セグメントを受信しうる。
【００６３】
図２０は、初期化セグメント記述フラグメントの受信を含むワイヤレス通信のフロー図２０００である。方法は、ＵＥ １０２のようなワイヤレスデバイスによって実行されうる。ステップ２００２において、ＵＥは、ＵＳＤの転送のためにｅＭＢＭＳネットワークで定義されたファイル配信セッション（例えば、ＦＬＵＴＥセッション）をアクティブ化しうる。ＵＥは、定義されたネットワークアドレスおよびファイル配信セッションの転送セッションＩＤに関連付けられたポートでコンテンツのダウンロードを開始することでセッションをアクティブ化する。このように、ＵＥは、システム情報のためにブロードキャストネットワークにおいてファイル配信セッションをアクティブ化するであろう。
【００６４】
ステップ２００４において、ＵＥは、少なくとも１つの初期化セグメント記述フラグメントを備えるファイル配信セッションにおいて複数のメタデータフラグメントを受信する。ファイル配信セッションは、ＵＳＤファイル配信セッションと同じファイル配信セッションでありうるか、別のファイル配信セッションでありうる。少なくとも１つの初期化セグメント記述フラグメントは、ユーザサービスに関連付けられており、同様にこのサービスに関連付けられているが、別のファイル配信セッションで送信される少なくとも１つのメディアセグメントを復号することが要求されうる。初期化セグメント記述フラグメントは、例えば、少なくとも１つのメディアセグメントを再生するのに必要な情報を含みうる。例えば、ＦＬＵＴＥセッションのようなファイル配信セッションは、初期化セグメント記述フラグメントに加え、複数のユーザサービスについてのセッション記述プロトコルおよびメディアプレゼンテーション記述フラグメントを各々が参照するサービスバンドルメタデータフラグメントのシーケンスを含みうる。ブロードキャストネットワークは、ブロードキャストＤＡＳＨサービスのためのｅＭＢＭＳネットワークを含みうる。
【００６５】
初期化セグメント記述フラグメントは、ＭＰＤで参照されうる。例えば、ＭＰＤは、初期化セグメントまたはメディアセグメントのうちの少なくとも１つについてのアイデンティティおよびネットワークロケーションを表す複数のＵＲＩを含みうる。ＵＲＩは、少なくとも１つのＵＲＬを含みうる。
【００６６】
初期化セグメントを搬送するファイル配信セッションが、ＵＳＤを搬送するＦＬＵＴＥセッションとは別の場合、ＵＳＤデータフラグメントは、少なくとも１つの初期化データセグメントが、ユーザサービスについての対応メディアセグメントを搬送するためのファイル配信セッションでもある、例えば、ユーザサービスファイル配信セッションのような異なるファイル配信セッションで搬送されることを示す配信方法データパラメータを含みうる。例えば、配信方法データパラメータは、初期化データセグメントのためのＵＲＩを含みうるか、配信方法データパラメータは、少なくとも１つの属性があらかじめ決められた値に設定された場合に対応メディアデータセグメントを搬送するユーザサービスファイル配信セッションで少なくとも１つの初期化データセグメントが搬送されることを示す属性を含みうる。
【００６７】
代替的に、ファイル配信セッションは、初期化セグメント記述フラグメントが、ファイル配信セッションで搬送されることを示す属性を含み、それは、ＵＳＤを含む。初期化セグメント記述フラグメントは、因習により、システム情報のためのファイル配信セッションで搬送されうる。
【００６８】
ステップ２００８において、ＵＥは、オプション的に、少なくとも１つの初期化セグメント記述フラグメントをキャッシュに記憶する。オプションの態様は、点線を使用して示される。
【００６９】
ステップ２０１０において、ＵＥはまた、オプション的に、ユーザサービスに関連付けられた第２の初期化セグメント記述フラグメントを受信し、少なくとも１つの第２のメディアセグメントを復号することが要求されうる。これは、ＤＡＳＨ形式のメディアコンテンツを含むユーザサービスのブロードキャスト配信のためのブロードキャストネットワークにおける第２のファイル配信セッションのアクティブ化を含みうる。その後、少なくとも１つの第２のメディアセグメントは、第２のファイル配信セッションで送信され、少なくとも１つのメディアセグメントは、キャッシュに記憶された初期化セグメント記述フラグメントを使用して復号されうる。
【００７０】
既存のＵＥとの下位互換性を可能にするために、これらの初期化セグメントは、両方とも、メディアセグメントが組み入れられたファイル配信セッションで送られ、初期化セグメント記述フラグメントは、個別のファイル配信セッションで送られうる。このように、ＵＥはさらに、少なくとも１つのメディアセグメントと同じファイル配信セッションに組み入れられた少なくとも１つの初期化データセグメントを受信しうる。メディアセグメントのためのファイル配信セッションとは異なる別のファイル配信セッションで初期化セグメント記述フラグメントを受信可能なＵＥは、メディアセグメントとは別に初期化セグメント記述フラグメントを取得することができるだろう。例えば、レガシＵＥのような他のＵＥは、メディアセグメントと同じファイル配信セッションで送られた初期化セグメントを取得および使用しうる。
【００７１】
方法は、より良いユーザ経験を提供するために、レイテンシを減らすと同時にサービスおよびコンテンツをより効率的に配信する。
【００７２】
図２１は、メディアセグメントの受信を含むワイヤレス通信のフローチャート２１００である。方法は、ＵＥ １０２のようなワイヤレスデバイスによって実行されうる。フローチャート２１００の方法は、フローチャート２０００の態様との組み合わせで実行されうる。
【００７３】
ステップ２１０２において、ＵＥは、ブロードキャストＤＡＳＨサービスのためにｅＭＢＭＳネットワークで定義されたファイル配信セッションをアクティブ化しうる。ＵＥは、定義されたネットワークアドレスおよびファイル配信セッションの転送セッションＩＤに関連付けられたポートでコンテンツのダウンロードを開始する。
【００７４】
ステップ２１０４において、ＵＥは、そのファイル配信セッションで送信された少なくとも１つのメディアセグメントを受信する。
【００７５】
ステップ２１０６において、ＵＥは、ユーザサービスのためのファイル配信セッションとは異なる、システム情報のためのファイル配信セッションで配信された関連初期化セグメント記述フラグメントを使用して少なくとも１つのメディアセグメントを復号しうる。システム情報のためのこのファイル配信セッションは、ＵＳＤのためのファイル配信セッションでありうるか、ＵＳＤを搬送するＦＬＵＴＥセッションとは別のファイル配信セッションでありうる。例えば、関連初期化セグメント記述フラグメントは、フローチャート２０００のステップ２００８でキャッシュに記憶される初期化データセグメントでありうる。
【００７６】
ステップ２１０８において、ＵＥはまた、オプション的に、ＵＳＤのためのファイル配信セッションを介して配信された第２の初期化セグメント記述フラグメントに関連付けられた少なくとも１つの第２のメディアセグメントを受信して復号しうる。例えば、第２の初期化セグメント記述フラグメントは、ステップ２０１０で受信された第２の初期化セグメント記述フラグメントを含みうる。
【００７７】
図２２は、例示的な装置２２００における異なるモジュール／手段／コンポーネントの間でのデータフローを示す概念的なデータフロー図を示す。装置はＵＥでありうる。装置２２００は、システム情報のためにブロードキャストネットワークにおいてファイル配信セッションをアクティブ化するように構成されたファイル配信セッション管理モジュール２２０２を含む。装置２２００はさらに、ネットワーク２２１０から、ファイル配信セッションにおいて、複数のファイル（セッションがユーザサービスディスカバリに使用される場合にはメタデータフラグメント、または、ＤＡＳＨストリーミングコンテンツ配信するためにセッションが使用される場合にはＤＡＳＨセグメント）を受信するように構成されたファイル配信セッション処理モジュール２２０４を含む。ＵＳＤ転送の場合、複数のメタデータフラグメントは、少なくとも１つの初期化セグメント記述フラグメントを含み、少なくとも１つの初期化セグメント記述フラグメントは、ユーザサービスと、別のファイル配信セッションで送信された少なくとも１つのメディアセグメントとに関連付けられる。装置２２００はさらに、少なくとも１つの初期化セグメント記述フラグメントをキャッシュに記憶するように構成されたデータキャッシュ化モジュール２２０６を含む。メディアセグメント転送の場合、ＵＳＤで配信された初期化セグメント記述フラグメントに関連付けられた少なくとも１つのメディアセグメントは、個別のファイル配信セッションを介して受信される。装置２２００はさらに、キャッシュに記憶された初期化セグメントも使用しながら、再生のためにメディアセグメントを復号するために使用されるコンテンツ処理モジュール２２０８を含む。ファイル配信セッション処理モジュール２２０４はさらに、ユーザサービスと、少なくとも１つの第２のメディアセグメントとに関連付けられた第２の初期化データセグメントを受信するように構成されうる。したがって、図２０および２１の上述されたフローチャートにおける各ステップは、１つのモジュールによって実行されることができ、装置２２００は、それらのモジュールのうちの１つ以上を含みうる。
【００７８】
図２３は、処理システム２３１４を用いる装置２２００’のハードウェア実現の例を示す図２３００である。処理システム２３１４は、概してバス２３２４と表されているバスアーキテクチャを用いて実現されうる。バス２３２４は、処理システム２３１４の特定のアプリケーションと設計の制約全体に依存して、任意の数の相互接続バスおよびブリッジを含みうる。バス２３２４は、プロセッサ２３０４によって表される１つ以上のプロセッサおよび／またはハードウェアモジュール、モジュール２２０２、２２０４、２２０６、および２２０８、ならびにコンピュータ読取可能な媒体２３０６を含む様々な回路を互いにリンクさせる。バス２３２４はまた、タイミングソース、周辺機器、電圧レギュレータ、および電力管理回路といった様々な他の回路をリンクさせうるが、これらは、当技術分野では周知であり、よって、これ以上は説明されないだろう。
【００７９】
処理システム２３１４は、トランシーバ２３１０に結合されうる。トランシーバ２３１０は、１つ以上のアンテナ２３２０に結合される。トランシーバ２３１０は、送信媒体を介して様々な他の装置と通信する手段を提供する。処理システム２３１４は、コンピュータ読取可能な媒体２３０６に結合されたプロセッサ２３０４を含む。プロセッサ２３０４は、一般的な処理を担っており、それは、コンピュータ読取可能な媒体２３０６に記憶されたソフトウェアの実行を含む。このソフトウェアは、プロセッサ２３０４によって実行されると、処理システム２３１４に、任意の特定の装置に関して上に説明された様々な機能を実行させる。コンピュータ読取可能な媒体２３０６はまた、ソフトウェアを実行する際にプロセッサ２３０４によって操作されるデータを記憶するために使用されうる。処理システムはさらに、モジュール２２０２、２２０４、２２０６、および２２０８のうちの少なくとも１つを含む。これらのモジュールは、プロセッサ２３０４上で動作し、コンピュータ読取可能な媒体２３０６に存在／記憶されたソフトウェアモジュール、プロセッサ２３０４に結合された１つ以上のハードウェアモジュール、またはそれらの組み合わせでありうる。処理システム２３１４は、ＵＥ ６５０のコンポーネントであり、メモリ６６０および／または、ＴＸプロセッサ６６８、ＲＸプロセッサ６５６、コントローラ／プロセッサ６５９のうちの少なくとも１つを含みうる。
【００８０】
一構成において、ワイヤレス通信のための装置２２００は、ブロードキャストＤＡＳＨサービスのためにｅＭＢＭＳネットワークにおいてファイル配信セッションをアクティブ化する手段を含み、そのような手段は、例えば、ファイル配信セッション管理モジュール２２０２を含みうる。装置はさらに、少なくとも１つの初期化セグメント記述フラグメントを含む複数のデータフラグメントを、ファイル配信セッションで受信する手段を含み、少なくとも１つの初期化セグメント記述フラグメントは、別のファイル配信セッションで送信された少なくとも１つのメディアセグメントに関連付けられる。そのような手段は、例えば、ファイル配信セッション処理モジュール２２０４を含みうる。装置はさらに、少なくとも１つの初期化セグメント記述フラグメントをキャッシュに記憶する手段を含み、そのような手段は、例えば、データキャッシングモジュール２２０６を含みうる。受信する手段は、少なくとも１つの第２のメディアセグメントに関連付けられた第２の初期化セグメント記述フラグメントをさらに受信しうる。
【００８１】
前述の手段は、前述の手段によって列挙された機能を実行するように構成された装置２２００の前述のモジュールおよび／または装置２２００’の処理システム２３１４のうちの１つ以上でありうる。先に述べたように、処理システム２３１４は、ＴＸプロセッサ６６８、ＲＸプロセッサ６５６、コントローラ／プロセッサ６５９を含みうる。このように、ある構成において、前述の手段は、前述の手段によって列挙された機能を実行するように構成されたＴＸプロセッサ６６８、ＲＸプロセッサ６５６、およびコントローラ／プロセッサ６５９でありうる。
【００８２】
図２４は、ワイヤレスデバイスによる受信のための別のＦＬＵＴＥセッション上でのメディアセグメントの送信に加え、ｅＭＢＭＳネットワーク生成と、例えば、ＵＳＤメタデータフラグメントとしての初期化セグメント記述フラグメントの送信とのフロー図２４００である。図２４のフロー図は、例えば、ブロードキャストマルチキャストサービスセンタ（ＢＭ−ＳＣ）によって実行されうる。ステップ２４０２において、ＢＭ−ＳＣは、システム情報のためにブロードキャストネットワークにおいて定義された第１のファイル配信セッション（例えば、ＦＬＵＴＥセッション）を送信する。第１のファイル配信セッションは、複数のメタデータフラグメントを含み、これらのメタデータフラグメントは、ユーザサービスに関連付けられた少なくとも１つの初期化セグメント記述フラグメントを含む。
【００８３】
ステップ２４０４において、ユーザサービスに関連付けられたメディアコンテンツを配信するために、ブロードキャストネットワークにおいて第２のファイル配信セッションを送信する。初期化セグメント記述フラグメントは、同様にサービスに関連付けられているが、第２のファイル配信セッションで送信される少なくとも１つのメディアセグメントを復号するために要求されうる。
【００８４】
第１および第２のファイル配信セッションの送信に先立って、ＢＭ−ＳＣは、ファイル配信セッションをアクティブ化しうる。ＢＭ−ＳＣは、対応ＵＳＤ／ＳＩで知らされる時間スケジュールにしたがって、ダウンロード配信セッションを通してコンテンツのブロードキャストを開始することによって、ファイル配信セッションをアクティブ化する。ＢＭ−ＳＣはまた、少なくとも１つの初期化セグメント記述フラグメントを含むファイル配信セッションのための複数のメタデータフラグメントを生成しうる。
【００８５】
図２２のフロー図と同様に、第１および第２のファイル配信セッションは、各々、ＦＬＵＴＥセッションを備えうる。ＦＬＵＴＥセッションは、初期化データセグメントに加え、複数のユーザサービスについてのセッション記述プロトコルおよびメディアプレゼンテーション記述フラグメントを参照するサービスバンドルメタデータフラグメントのシーケンスを備えうる。ブロードキャストネットワークは、ブロードキャストＤＡＳＨサービスのためのｅＭＢＭＳネットワークを備えうる。
【００８６】
ＢＭ−ＳＣは、オプション的に、少なくとも１つのＵＳＤデータフラグメントを備えるＵＳＤファイル配信セッションを送信しうる。ＵＳＤデータフラグメントは、少なくとも１つの初期化データセグメントが、ＵＳＤファイル配信セッションとは異なるファイル配信セッションで搬送されることを示す配信方法データパラメータを備えうる。例えば、配信方法データパラメータは、初期化データセグメントについてのＵＲＩを備えうるか、配信方法データパラメータは、少なくとも１つの属性があらかじめ決められた値に設定された場合に少なくとも１つの初期化データセグメントが異なるファイル配信セッションで搬送されることを示す属性を含みうる。
【００８７】
複数のメタデータフラグメントは、ＵＳＤデータフラグメントを備えうる。例えば、初期化セグメント記述フラグメントは、因習により、システム情報のためのファイル配信セッションで搬送される。ファイル配信セッションは、属性があらかじめ決められた値に設定された場合、ＵＳＤを含む初期化セグメント記述フラグメントがファイル配信セッションで搬送されたことを示す属性を含みうる。初期化セグメント記述フラグメントは、ＭＰＤで参照され、例えば、ＭＰＤは複数のＵＲＩを備えうる。複数のＵＲＩの各々は、初期化セグメント記述フラグメントおよびメディアセグメントのうちの少なくとも１つについてのアイデンティティおよびネットワークロケーションを示す。例えば、ＵＲＩは、ＵＲＬを備えうる。初期化データセグメントのロケーションは、初期化データセグメントが、システム情報データを備えるファイル配信セッションのうち少なくとも１つで、または、ユーザサービスのためのファイル配信セッション内の初期化データセグメントとして送信されることとなることを示す情報を備える。
【００８８】
既存のＵＥとの下位互換性を可能にするために、初期化セグメントは、メディアセグメントが組み入れられたファイル配信セッションで、および、システム情報についての別のファイル配信セッション内の初期化セグメント記述フラグメントとして送られうる。このように、ＵＥはさらに、少なくとも１つのメディアセグメントと同じファイル配信セッションに組み入れられた少なくとも１つの初期化データセグメントを受信しうる。
【００８９】
図２５は、例示的な装置２５００における異なるモジュール／手段／コンポーネントの間でのデータフローを示す概念的なデータフロー図である。装置は、ネットワーク側の装置に対応し、少なくともＤＡＳＨ符号器、ＭＰＤ生成器、ＭＰＤ生成器、およびＢＭ−ＳＣ ２５２０を含みうる。装置２５００はさらに、ＭＢＭＳゲートウェイ、ＭＭＥ、ＭＣＥ、およびｅＮＢのような他のコアネットワークおよびＲＡＮエンティティ２５２２を含みうる。
【００９０】
装置２５００は、ブロードキャストＤＡＳＨサービスのためにｅＭＢＭＳネットワークにおいてファイル配信セッションをアクティブ化するように構成されたファイル配信セッション管理モジュール２５０２を含む。装置２５００はさらに、ファイル配信セッションにおいて、複数のファイル（セッションがＵＳＤに使用される場合のメタデータフラグメント、または、ＤＡＳＨストリーミングコンテンツ配信するためにセッションが使用される場合のＤＡＳＨセグメント）を処理するように構成されたファイル配信セッション処理モジュール２５０４を含む。ファイル配信セッション処理モジュールは、コンテンツ作成モジュール２５０８からメディアセグメントおよび初期化セグメントを受信し、これらのセグメントを処理して、ＵＥに送信されるべきセグメントを準備する。その後、ファイル配信セッション処理モジュールは、初期化セグメントおよびメディアセグメントをそれぞれの配信モジュールに提供する。ＵＳＤ転送の場合、複数のメタデータフラグメントは、少なくとも１つの初期化セグメント記述フラグメントを含み、少なくとも１つの初期化セグメント記述フラグメントは、ユーザサービスと、別のファイル配信セッションで送信された少なくとも１つのメディアセグメントとに関連付けられる。装置２５００は、再生のための少なくとも１つのメディアセグメントおよび関連初期化セグメントを作成するために使用されるコンテンツ作成モジュール２５０８を含む。様々なタイプのセグメントが、送信のためにコンテンツサーバから受信されうることに注意されたい。コンテンツ作成モジュール２５０８のようなローカルソースからセグメントが受信されるか、コンテンツサーバのような別のソースから受信されるかにかかわらず、複数の送信のために様々なセグメントがキャッシュに記憶されうる。例えば、初期化セグメントは、すべてがＵＳＤメタデータフラグメントであるとしてカルーセル（carrousel）のように反復的にブロードキャストされるため、キャッシュに記憶されうる。初期化セグメント記述フラグメントは、ＵＳＤファイル配信セッションモジュール２５０６を介してＵＳＤファイル配信セッションでＵＥ ２５１２に送信されうるか、代替的に、初期化データセグメントが、ユーザサービスのためのファイル配信セッションで送信されうる。メディアセグメント転送の場合、ＵＳＤで配信された初期化セグメント記述フラグメントに関連付けられた少なくとも１つのメディアセグメントは、ブロードキャストＤＡＳＨファイル配信セッションモジュール２５１０を介して別のブロードキャストＤＡＳＨファイル配信セッションを介して送信されうる。したがって、図２４の前述されたフローチャートにおける各ステップは、１つのモジュールによって実行されることができ、装置２５００は、それらのモジュールのうち１つ以上を含むことができる。
【００９１】
図２６は、処理システム２６１４を用いる装置２５００’のためのハードウェア実現の例を示す図２６００である。処理システム２６１４は、概してバス２６２４と表されているバスアーキテクチャを用いて実現されうる。バス２６２４は、処理システム２６１４の特定のアプリケーションと全体的な設計の制約とに依存して、任意の数の相互接続バスおよびブリッジを含みうる。バス２６２４は、プロセッサ２６０４で表された１つ以上のプロセッサおよび／またはハードウェアモジュール、モジュール２５０２、２５０４、２５０６、２５０８、および２５１０、ならびにコンピュータ読取可能な媒体２６０６を含む、様々な回路を共にリンクさせる。バス２６２４はまた、タイミングソース、周辺機器、電圧レギュレータ、および電力管理回路といった様々な他の回路をリンクさせうるが、これらは、当技術分野では周知であり、よって、これ以上は説明されないだろう。
【００９２】
処理システム２６１４は、トランシーバ２６１０に結合されうる。トランシーバ２６１０は、１つ以上のアンテナ２６２０に結合される。トランシーバ２６１０は、送信媒体を介して様々な他の装置と通信する手段を提供する。処理システム２６１４は、コンピュータ読取可能な媒体２６０６に結合されたプロセッサ２６０４を含む。プロセッサ２６０４は、一般的な処理を担っており、それは、コンピュータ読取可能な媒体２６０６に記憶されたソフトウェアの実行を含む。このソフトウェアは、プロセッサ２６０４によって実行されると、処理システム２６１４に、任意の特定の装置に関して上に説明された様々な機能を実行させる。コンピュータ読取可能な媒体２６０６はまた、ソフトウェアを実行する際にプロセッサ２６０４によって操作されるデータを記憶するために使用されうる。処理システムはさらに、モジュール２５０２、２５０４、２５０６、２５０８、および２５１０のうちの少なくとも１つを含む。これらのモジュールは、プロセッサ２６０４上で動作し、コンピュータ読取可能な媒体２６０６に存在／記憶されたソフトウェアモジュール、プロセッサ２６０４に結合された１つ以上のハードウェアモジュール、またはそれらの組み合わせでありうる。処理システム２５１４は、ｅＮＢ ６１０のコンポーネントであり、メモリ６７６および／または、ＴＸプロセッサ６１６、ＲＸプロセッサ６７０、コントローラ／プロセッサ６７５のうちの少なくとも１つを含みうる。
【００９３】
一構成において、ワイヤレス通信のための装置２５００／２５００’は、システム情報を配信するためにブロードキャストネットワークで第１のファイル配信セッションを送信する手段と、ここで、第１のファイル配信セッションは、複数のメタデータフラグメントを含み、メタデータフラグメントは、ユーザサービスに関連付けられた少なくとも１つの初期化セグメント記述フラグメントを含む、ユーザサービスに関連付けられたメディアコンテンツを配信するためにブロードキャストネットワークで第２のファイル配信セッションを送信する手段とを含み、それは、例えば、ファイル配信セッション管理モジュール２５０２、ファイル配信セッションコンテンツ作成モジュール２５０８、および／またはファイル配信セッション処理モジュール２５０４、ＵＳＤ配信セッションモジュール２５０６、ならびにブロードキャストＤＡＳＨファイル配信セッションモジュール２５１０のいずれかを含む。
【００９４】
前述の手段は、前述された手段によって列挙された機能を実行するように構成された装置２５００の前述されたモジュール、および／または装置２５００’の処理システム２６１４のうちの１つ以上でありうる。先に述べたように、処理システム２５１４は、ＴＸプロセッサ６１６と、ＲＸプロセッサ６７０と、コントローラ／プロセッサ６７５とを含みうる。このように、一構成において、前述された手段は、前述された手段によって列挙された機能を実行するように構成されたＴＸプロセッサ６１６、ＲＸプロセッサ６７０、およびコントローラ／プロセッサ６７５でありうる。
【００９５】
開示されたプロセスにおけるステップの特定の順序または階層は、例示的なアプローチの一例であるということが理解されるべきである。設計の選好に基づいて、これらのプロセスにおけるステップの特定の順序または階層が並べ替えられうることは理解されるべきである。さらに、いくつかのステップは、組み合わされるか、省略されうる。添付の方法請求項は、例示的な順序において、様々なステップの構成要素を提示し、また、提示された特定の順序または階層に限定されることを意図しない。
【００９６】
先の説明は、当業者が、本明細書に説明された様々な態様を実施できるように提供されている。これらの態様に対する様々な変更は、当業者に容易に理解され、本明細書において定義された一般的な原理は、他の態様に適用されうる。したがって、特許請求の範囲は本明細書で表示される態様に限定されることは意図されておらず、しかし特許請求の範囲の用語と一致する全範囲が与えられるべきであり、ここで、単数形の構成要素への参照は、別途そのように述べられていない限り「１つおよびたった１つ」を意味することを意図しておらず、むしろ「１つ以上の」を意味することを意図しうる。別途明確な記載がない限り、「いくつかの」という用語は、１つ以上を意味する。当業者に知られている、または後に知られることとなる本開示において説明された様々な態様の構成要素に対するすべての構造的および機能的な均等物は、参照によって本明細書に明確に組み込まれ、特許請求の範囲によって包含されることが意図される。さらに、本明細書におけるいずれの開示も、そのような開示が特許請求の範囲に明示的に記載されているか否かに関わらず、一般社会に献呈されることを意図するものである。特許請求の範囲の構成要素はいずれも、この構成要素が「〜ための手段」という表現を用いて明示的に記載されていない限り、手段プラス機能として解釈されるべきではない。
以下に本願発明の当初の特許請求の範囲に記載された発明を付記する。
［Ｃ１］
ワイヤレス通信のための方法であって、
システム情報のためにブロードキャストネットワークにおいてファイル配信セッションをアクティブ化することと、
前記アクティブ化に基づいて前記ファイル配信セッションで複数のメタデータフラグメントを受信することと
を備え、前記複数のメタデータフラグメントは、少なくとも１つの初期化セグメント記述フラグメントを備え、前記少なくとも１つの初期化セグメント記述フラグメントは、別のファイル配信セッションで送信された少なくとも１つのメディアセグメントに関連付けられる、方法。
［Ｃ２］
前記初期化セグメント記述フラグメントは、メディアプレゼンテーション記述フラグメントで参照される、Ｃ１に記載の方法。
［Ｃ３］
前記メディアプレゼンテーション記述フラグメントは、複数のＵＲＩ（Uniform Resource Identifier）を備え、前記複数のＵＲＩの各々は、初期化セグメント記述フラグメントおよびメディアセグメントのうちの少なくとも１つについてのアイデンティティおよびネットワークロケーションを表す、Ｃ２に記載の方法。
［Ｃ４］
前記初期化データセグメントの前記ＵＲＩは、前記初期化セグメント記述フラグメントが、システム情報データを送信するファイル配信セッションのうち少なくとも１つでシステム情報として、または、前記ユーザサービスのためのファイル配信セッションで初期化データセグメントとして送信されることとなることを示す情報を備える、Ｃ３に記載の方法。
［Ｃ５］
前記ファイル配信セッションは、ＦＬＵＴＥ（file delivery over unidirectional transport）セッションを備える、Ｃ１に記載の方法。
［Ｃ６］
前記ＦＬＵＴＥセッションは、前記初期化セグメント記述フラグメントに加え、少なくとも１つのユーザサービスについてのセッション記述情報およびメディアプレゼンテーション記述フラグメントのセットを参照するサービスバンドルメタデータフラグメントのシーケンスを備える、Ｃ５に記載の方法。
［Ｃ７］
前記少なくとも初期化セグメント記述フラグメントは、前記少なくとも１つのメディアセグメントを再生するのに必要な情報を備える、Ｃ１に記載の方法。
［Ｃ８］
前記複数のメタデータフラグメントはさらに、少なくとも１つのユーザサービスディスカバリメタデータフラグメントを備える、Ｃ１に記載の方法。
［Ｃ９］
前記少なくとも１つのユーザサービスディスカバリメタデータフラグメントは、前記少なくとも１つの初期化セグメント記述フラグメントが、ユーザサービスのために定義されたファイル配信セッションとは異なるシステム情報のためのファイル配信セッションで搬送されることを示す配信方法データパラメータを備える、Ｃ８に記載の方法。
［Ｃ１０］
前記少なくとも１つの初期化セグメント記述フラグメントは、因習により、システム情報のための前記ファイル配信セッションで搬送される、Ｃ９に記載の方法。
［Ｃ１１］
前記配信方法データパラメータは、前記少なくとも１つの初期化セグメント記述フラグメントのための少なくとも１つのＵＲＩ（Uniform Resource Identifier）を備える、Ｃ９に記載の方法。
［Ｃ１２］
前記配信方法データパラメータは、前記少なくとも１つの初期化セグメント記述フラグメントが、少なくとも１つの属性があらかじめ決められた値に設定された場合、システム情報のための前記ファイル配信セッションで搬送されることを示す前記少なくとも１つの属性を備える、Ｃ９に記載の方法。
［Ｃ１３］
前記少なくとも１つの初期化セグメント記述フラグメントをキャッシュに記憶することをさらに備える、Ｃ１に記載の方法。
［Ｃ１４］
動的適応型ＨＴＴＰストリーミング（ＤＡＳＨ）形式のメディアコンテンツを備えるユーザサービスのブロードキャスト配信のために前記ブロードキャストネットワークにおいて第２のファイル配信セッションをアクティブ化することと、
前記第２のファイル配信セッションで送信された少なくとも１つの第２のメディアセグメントを受信することと、
前記キャッシュに記憶された初期化セグメント記述フラグメントを使用して前記少なくとも１つの第２のメディアセグメントを復号することと
をさらに備える、Ｃ１３に記載の方法。
［Ｃ１５］
少なくとも１つの第２のメディアセグメントに関連付けられた第２の初期化セグメント記述フラグメントを受信することをさらに備える、Ｃ１に記載の方法。
［Ｃ１６］
ブロードキャストの動的適応型ＨＴＴＰストリーミング（ＤＡＳＨ）サービスのために前記ブロードキャストネットワークにおいて第２のファイル配信セッションをアクティブ化することと、
前記第２のファイル配信セッションで送信された少なくとも１つの第２のメディアセグメントを受信することと、
キャッシュに記憶された第２の初期化セグメント記述フラグメントを使用して前記少なくとも１つの第２のメディアセグメントを復号することと
をさらに備える、Ｃ１５に記載の方法。
［Ｃ１７］
前記少なくとも１つのメディアセグメントと同じファイル配信セッションに組み入れられた前記初期化セグメント記述フラグメントを受信することをさらに備える、Ｃ１に記載の方法。
［Ｃ１８］
前記ブロードキャストネットワークは、発展型マルチメディアブロードキャストマルチキャストサービス（ｅＭＢＭＳ）ネットワークを備える、Ｃ１に記載の方法。
［Ｃ１９］
ワイヤレス通信のための装置であって、
システム情報のためにブロードキャストネットワークにおいてファイル配信セッションをアクティブ化する手段と、
前記アクティブ化に基づいて前記ファイル配信セッションで複数のメタデータフラグメントを受信する手段と
を備え、前記複数のメタデータフラグメントは、少なくとも１つの初期化セグメント記述フラグメントを備え、前記少なくとも１つの初期化セグメント記述フラグメントは、別のファイル配信セッションで送信された少なくとも１つのメディアセグメントに関連付けられる、装置。
［Ｃ２０］
前記初期化セグメント記述フラグメントは、メディアプレゼンテーション記述フラグメントで参照され、前記メディアプレゼンテーション記述フラグメントは、複数のＵＲＩ（Uniform Resource Identifier）を備え、前記複数のＵＲＩの各々は、初期化データセグメントまたはメディアセグメントのうちの少なくとも１つについてのアイデンティティおよびネットワークロケーションを表し、前記初期化セグメント記述フラグメントの前記ＵＲＩは、前記初期化セグメント記述フラグメントが、システム情報データを送信するファイル配信セッションのうちの少なくとも１つでシステム情報として、または、前記ユーザサービスのためのファイル配信セッションで初期化データセグメントとして送信されることとなることを示す情報を備える、Ｃ１９に記載の装置。
［Ｃ２１］
前記ファイル配信セッションは、ＦＬＵＴＥ（file delivery over unidirectional transport）セッションを備え、前記少なくとも１つの初期化セグメント記述フラグメントは、前記少なくとも１つのメディアセグメントを再生するのに必要な情報を備え、前記装置はさらに、前記少なくとも１つの初期化セグメント記述フラグメントをキャッシュに記憶する手段を備える、Ｃ１９に記載の装置。
［Ｃ２２］
前記複数のメタデータフラグメントはさらに、少なくとも１つのユーザサービスディスカバリメタデータフラグメントを備える、Ｃ１９に記載の装置。
［Ｃ２３］
前記少なくとも１つのユーザサービスディスカバリメタデータフラグメントは、前記少なくとも１つの初期化セグメント記述フラグメントが、ユーザサービスのために定義されたファイル配信セッションとは異なるシステム情報のためのファイル配信セッションで搬送されることを示す配信方法データパラメータを備える、Ｃ２２に記載の装置。
［Ｃ２４］
前記少なくとも１つの初期化セグメント記述フラグメントは、因習により、システム情報のための前記ファイル配信セッションで搬送される、Ｃ２３に記載の装置。
［Ｃ２５］
前記配信方法データパラメータは、前記少なくとも１つの初期化セグメント記述フラグメントのための少なくとも１つのＵＲＩ（Uniform Resource Identifier）を備える、Ｃ２３に記載の装置。
［Ｃ２６］
前記配信方法データパラメータは、少なくとも１つの属性があらかじめ決められた値に設定された場合、前記少なくとも１つの初期化セグメント記述フラグメントが、システム情報のための前記ファイル配信セッションで搬送されることを示す前記少なくとも１つの属性を備える、Ｃ２３に記載の装置。
［Ｃ２７］
前記受信する手段は、前記少なくとも１つの第２のメディアセグメントに関連付けられた第２の初期化セグメント記述フラグメントをさらに受信する、Ｃ１９に記載の装置。
［Ｃ２８］
ワイヤレス通信のための装置であって、
システム情報のためにブロードキャストネットワークにおいてサーバとのファイル配信セッションをアクティブ化し、
前記アクティブ化に基づいて前記ファイル配信セッションで複数のメタデータフラグメントを受信する
ように構成された処理システムを備え、前記複数のメタデータフラグメントは、少なくとも１つの初期化セグメント記述フラグメントを備え、前記少なくとも１つの初期化セグメント記述フラグメントは、別のファイル配信セッションで送信された少なくとも１つのメディアセグメントに関連付けられる、装置。
［Ｃ２９］
前記初期化セグメント記述フラグメントは、メディアプレゼンテーション記述で参照される、Ｃ２８に記載の装置。
［Ｃ３０］
前記メディアプレゼンテーション記述は、複数のＵＲＩ（Uniform Resource Identifier）を備え、前記複数のＵＲＩの各々は、初期化セグメント記述フラグメントまたはメディアセグメントのうちの少なくとも１つについてのアイデンティティおよびネットワークロケーションを表す、Ｃ２９に記載の装置。
［Ｃ３１］
前記初期化データセグメントのＵＲＩは、前記初期化セグメント記述フラグメントが、システム情報データを送信するファイル配信セッションのうち少なくとも１つでシステム情報として、または、前記ユーザサービスのためのファイル配信セッションで初期化データセグメントとして送信されることとなることを示す情報を備える、Ｃ３０に記載の装置。
［Ｃ３２］
前記ファイル配信セッションは、ＦＬＵＴＥ（file delivery over unidirectional transport）セッションを備える、Ｃ２８に記載の装置。
［Ｃ３３］
前記少なくとも１つの初期化セグメント記述フラグメントは、前記少なくとも１つのメディアセグメントを再生するのに必要な情報を備える、Ｃ２８に記載の装置。
［Ｃ３４］
前記複数のメタデータフラグメントはさらに、少なくとも１つのユーザサービスディスカバリメタデータフラグメントを備える、Ｃ２８に記載の装置。
［Ｃ３５］
前記少なくとも１つのユーザサービスディスカバリメタデータフラグメントは、前記少なくとも１つの初期化セグメント記述フラグメントが、ユーザサービスのために定義されたファイル配信セッションとは異なるシステム情報のためのファイル配信セッションで搬送されることを示す配信方法データパラメータを備える、Ｃ３４に記載の装置。
［Ｃ３６］
前記少なくとも１つの初期化セグメント記述フラグメントは、因習により、システム情報のための前記ファイル配信セッションで搬送される、Ｃ３５に記載の装置。
［Ｃ３７］
前記配信方法データパラメータは、前記少なくとも１つの初期化セグメント記述フラグメントのための少なくとも１つのＵＲＩ（Uniform Resource Identifier）を備える、Ｃ３５に記載の装置。
［Ｃ３８］
前記配信方法データパラメータは、少なくとも１つの属性があらかじめ決められた値に設定された場合に、前記少なくとも１つの初期化セグメント記述フラグメントが、システム情報のための前記ファイル配信セッションで搬送されることを示す前記少なくとも１つの属性を備える、Ｃ３５に記載の装置。
［Ｃ３９］
前記処理システムはさらに、前記少なくとも１つの初期化セグメント記述フラグメントをキャッシュに記憶するように構成される、Ｃ２８に記載の装置。
［Ｃ４０］
前記処理システムは、少なくとも１つの第２のメディアセグメントに関連付けられた第２の初期化セグメント記述フラグメントを受信するようにさらに構成される、Ｃ２８に記載の装置。
［Ｃ４１］
コンピュータ読取可能な媒体を備えるワイヤレスデバイスにおけるコンピュータプログラム製品であって、前記コンピュータ読取可能な媒体は、
システム情報のためにブロードキャストネットワークにおいてサーバとのファイル配信セッションをアクティブ化し、
前記アクティブ化に基づいて前記ファイル配信セッションで複数のデータフラグメントを受信する
ためのコードを備え、前記複数のデータフラグメントは、少なくとも１つの初期化セグメント記述フラグメントを備え、前記少なくとも１つの初期化セグメント記述フラグメントは、別のファイル配信セッションで送信された少なくとも１つのメディアセグメントに関連付けられる、コンピュータプログラム製品。
［Ｃ４２］
ワイヤレス通信のための方法であって、
システム情報を配信するためのブロードキャストネットワークにおいて第１のファイル配信セッションを送信することと、ここで、前記第１のファイル配信セッションは、複数のメタデータフラグメントを備え、前記メタデータフラグメントは、ユーザサービスに関連付けられた少なくとも１つの初期化セグメント記述フラグメントを備える、
前記ユーザサービスに関連付けられたメディアコンテンツを配信するために、前記ブロードキャストネットワークにおいて第２のファイル配信セッションを送信することと
を備える方法。
［Ｃ４３］
前記初期化セグメント記述フラグメントは、メディアプレゼンテーション記述で参照される、Ｃ４２に記載の方法。
［Ｃ４４］
前記メディアプレゼンテーション記述は、複数のＵＲＩ（Uniform Resource Identifier）を備え、前記複数のＵＲＩの各々は、初期化セグメント記述フラグメントおよびメディアセグメントのうちの少なくとも１つについてのアイデンティティおよびネットワークロケーションを表す、Ｃ４３に記載の方法。
［Ｃ４５］
前記初期化セグメント記述フラグメントのＵＲＩは、前記初期化セグメント記述フラグメントが、システム情報データを送信するファイル配信セッションのうち少なくとも１つでシステム情報として、または、前記ユーザサービスのためのファイル配信セッションで初期化データセグメントとして送信されることとなることを示す情報を備える、Ｃ４４に記載の方法。
［Ｃ４６］
前記第１および第２のファイル配信セッションは、ＦＬＵＴＥ（file delivery over unidirectional transport）セッションを備える、Ｃ４２に記載の方法。
［Ｃ４７］
前記複数のメタデータフラグメントはさらに、少なくとも１つのユーザサービスディスカバリメタデータフラグメントを備える、Ｃ４２に記載の方法。
［Ｃ４８］
前記少なくとも１つのユーザサービスディスカバリメタデータフラグメントは、前記少なくとも１つの初期化セグメント記述フラグメントが、ユーザサービスのために定義されたファイル配信セッションとは異なるシステム情報のためのファイル配信セッションで搬送されることを示す配信方法データパラメータを備える、Ｃ４７に記載の方法。
［Ｃ４９］
前記少なくとも１つの初期化セグメント記述フラグメントは、因習により、システム情報のための前記ファイル配信セッションで搬送される、Ｃ４８に記載の方法。
［Ｃ５０］
前記配信方法データパラメータは、前記少なくとも１つの初期化セグメント記述フラグメントのための少なくとも１つのＵＲＩ（Uniform Resource Identifier）を備える、Ｃ４８に記載の方法。
［Ｃ５１］
前記配信方法データパラメータは、前記少なくとも１つの初期化セグメント記述フラグメントが、少なくとも１つの属性があらかじめ決められた値に設定された場合、システム情報のための前記ファイル配信セッションで搬送されることを示す前記少なくとも１つの属性を備える、Ｃ４８に記載の方法。
［Ｃ５２］
ワイヤレス通信のための装置であって、
システム情報を配信するためのブロードキャストネットワークにおいて第１のファイル配信セッションを送信する手段と、ここで、前記第１のファイル配信セッションは、複数のメタデータフラグメントを備え、前記メタデータフラグメントは、ユーザサービスに関連付けられた少なくとも１つの初期化セグメント記述フラグメントを備える、
前記ユーザサービスに関連付けられたメディアコンテンツを配信するために、前記ブロードキャストネットワークで第２のファイル配信セッションを送信する手段と、
を備える装置。
［Ｃ５３］
ワイヤレス通信のための装置であって、
システム情報を配信するためのブロードキャストネットワークで第１のファイル配信セッションを送信し、ここで、前記第１のファイル配信セッションは、複数のメタデータフラグメントを備え、前記メタデータフラグメントは、ユーザサービスに関連付けられた少なくとも１つの初期化セグメント記述フラグメントを備える、
前記ユーザサービスに関連付けられたメディアコンテンツを配信するために、前記ブロードキャストネットワークにおいて第２のファイル配信セッションを送信する
ように構成された処理システムを備える装置。
［Ｃ５４］
前記初期化セグメント記述フラグメントは、メディアプレゼンテーション記述で参照される、Ｃ５３に記載の装置。
［Ｃ５５］
前記メディアプレゼンテーション記述は、複数のＵＲＩ（Uniform Resource Identifier）を備え、前記複数のＵＲＩの各々は、初期化セグメント記述フラグメントおよびメディアセグメントのうちの少なくとも１つについてのアイデンティティおよびネットワークロケーションを表す、Ｃ５４に記載の装置。
［Ｃ５６］
前記初期化セグメント記述フラグメントのＵＲＩは、前記初期化セグメント記述フラグメントが、システム情報データを送信するファイル配信セッションのうち少なくとも１つでシステム情報として、または、前記ユーザサービスのためのファイル配信セッションで初期化データセグメントとして送信されることとなることを示す情報を備える、Ｃ５５に記載の装置。
［Ｃ５７］
前記第１および第２のファイル配信セッションは、ＦＬＵＴＥ（file delivery over unidirectional transport）セッションを備える、Ｃ５３に記載の装置。
［Ｃ５８］
前記複数のメタデータフラグメントはさらに、少なくとも１つのユーザサービスディスカバリメタデータフラグメントを備える、Ｃ５３に記載の装置。
［Ｃ５９］
前記少なくとも１つのユーザサービスディスカバリメタデータフラグメントは、前記少なくとも１つの初期化セグメント記述フラグメントが、ユーザサービスのために定義されたファイル配信セッションと異なり、かつ、前記第２のファイル配信セッションと異なるシステム情報のためのファイル配信セッションで搬送されることを示す配信方法データパラメータを備える、Ｃ５８に記載の装置。
［Ｃ６０］
前記少なくとも１つの初期化セグメント記述フラグメントは、因習により、システム情報のためのファイル配信セッションで搬送される、Ｃ５９に記載の装置。
［Ｃ６１］
前記配信方法データパラメータは、前記少なくとも１つの初期化セグメント記述フラグメントのための少なくとも１つのＵＲＩ（Uniform Resource Identifier）を備える、Ｃ５９に記載の装置。
［Ｃ６２］
前記配信方法データパラメータは、少なくとも１つの属性があらかじめ決められた値に設定された場合に、前記少なくとも１つの初期化セグメント記述フラグメントが、システム情報のための前記ファイル配信セッションで搬送されることを示す前記少なくとも１つの属性を備える、Ｃ５９に記載の装置。
［Ｃ６３］
コンピュータ読取可能な媒体を備えるワイヤレスデバイスにおけるコンピュータプログラム製品であって、前記コンピュータ読取可能な媒体は、
システム情報を配信するためのブロードキャストネットワークにおいて第１のファイル配信セッションを送信することと、ここで、前記第１のファイル配信セッションは、複数のメタデータフラグメントを備え、前記メタデータフラグメントは、ユーザサービスに関連付けられた少なくとも１つの初期化セグメント記述フラグメントを備える、
前記ユーザサービスに関連付けられたメディアコンテンツを配信するために、前記ブロードキャストネットワークにおいて第２のファイル配信セッションを送信する
ためのコードを備える、コンピュータプログラム製品。
【図１】
0005774785.tif 000002
【図２】
0005774785.tif 000003
【図３】
0005774785.tif 000004
【図４】
0005774785.tif 000005
【図５】
0005774785.tif 000006
【図６】
0005774785.tif 000007
【図７】
0005774785.tif 000008
【図８】
0005774785.tif 000009
【図９】
0005774785.tif 000010
【図１０】
0005774785.tif 000011
【図１１】
0005774785.tif 000012
【図１２】
0005774785.tif 000013
【図１３】
0005774785.tif 000014
【図１４】
0005774785.tif 000015
【図１５】
0005774785.tif 000016
【図１６】
0005774785.tif 000017
【図１７】
0005774785.tif 000018
【図１８】
0005774785.tif 000019
【図１９】
0005774785.tif 000020
【図２０】
0005774785.tif 000021
【図２１】
0005774785.tif 000022
【図２２】
0005774785.tif 000023
【図２３】
0005774785.tif 000024
【図２４】
0005774785.tif 000025
【図２５】
0005774785.tif 000026
【図２６】
0005774785.tif 000027